(57)【要約】      （修正有）【課題】リモナイトに含まれるＦｅＯ（ＯＨ）イオンの作用でペットの排泄物に含まれる各種の臭いのもととなる成分がこれと結合し取り込まれることにより、排出される尿や糞便が無臭に近くなり、また体臭も無臭になるようなペットフードの提供をすることにある。【解決手段】牛肉、馬肉、鹿肉、豚肉、鶏肉、その他の獣肉、魚肉のミンチを１種又は複数種を選択的に用いて、これに乾燥おから，澱粉、ブレンド肉、米糠、水で湿らせたじゃがいものフレークのうち１種又は複数種を選択的に混合し、これにゲル化剤と、精製されたリモナイト微粉末を混入したものを調合、成型し、乾燥し、仕上がり状態でのリモナイトの含有量を０．１％から８０％にしたペットフードである。【選択図】図２
2006051022.tif 000002
【特許請求の範囲】
【請求項１】
粒度が５０〜２００メッシュのリモナイト粉末が混入された固形のペットフード。
【請求項２】
少なくとも動物骨スープと、乾燥おからまたはブレンド肉と、寒天と、リモナイト粉末とを含む原料を調合して煮込み、成型し、冷却し、乾燥させ、裁断して製造した請求項１に記載のペットフード。
【請求項３】
少なくとも動物肉のミンチまたは魚肉のすり身と、澱粉と、リモナイト粉末とを含む原料を調合し、成型し、乾燥させ、裁断し、さらに乾燥させて製造した請求項１に記載のペットフード。
【請求項４】
少なくとも動物肉のミンチまたは魚肉のすり身と、澱粉と、リモナイト粉末とを含む原料を調合し、成型し、乾燥させ、冷凍し、裁断し、さらに乾燥させて製造した請求項１に記載のペットフード。
【請求項５】
少なくとも動物肉のミンチまたは魚肉のすり身と、澱粉と、リモナイト粉末とを含む原料を調合し、成型し、乾燥させ、裁断して製造した請求項１に記載のペットフード。
【請求項６】
少なくとも動物肉のミンチまたは魚肉のすり身と、澱粉と、リモナイト粉末とを含む原料を調合し、加熱圧縮し、成型し、裁断して製造した請求項１に記載のペットフード。
【請求項７】
少なくとも穀物粉と、膨張剤と、リモナイト粉末と、液卵と、水又は牛乳とを含む原料、
少なくとも穀物粉と、膨張剤と、リモナイト粉末と、油脂製品と、水又は牛乳とを含む原料、
少なくとも穀物粉と、膨張剤と、リモナイト粉末と、さつまいもペーストと、液卵とを含む原料、
穀物粉と、膨張剤と、油脂製品と、リモナイト粉末と、液卵と、水又は牛乳とを含む原料、
少なくとも穀物粉と、膨張剤と、油脂製品と、はちみつと、液卵と、乾燥おからと、リモナイト粉末と、水または牛乳とを含む原料、
少なくとも穀物粉と、膨張剤と、油脂製品と、はちみつと、液卵と、リモナイト粉末と、水で湿らせたかぼちゃのフレークと、水又は牛乳とを含む原料、
少なくとも澱粉と、ブドウ糖と、脱脂粉乳と、重曹と、無塩バターと、リモナイト粉末と、液卵とを含む原料
のうちいずれか１つを調合し、成型し、加熱して製造した請求項１に記載のペットフード。
【請求項８】
少なくとも米粉と、リモナイト粉末とを湯に溶かした混錬物を蒸し、成型し、これを加熱乾燥させて製造した請求項１に記載のペットフード。
【発明の詳細な説明】
【技術分野】
【０００１】
本発明はペットフードに関し、更に詳しくは精製されたリモナイトの粉末を犬や猫の食材、或いは菓子類や、スナック商品の食材に混入させ、嗜好性を維持しつつ、動物の尿、糞便や体臭の消臭を目的としたペットフードの提供に関する。
【背景技術】
【０００２】
従来、ペットフードには水分６０％程度以上を含むウエットタイプのもの、水分２０乃至４０％程度含むセミモイストタイプのもの、水分１０％程度以下のドライタイプのもの等があり、食欲増進に供するもの、ダイエツト目的のもの、毛並みを良くするもの、体臭を少なくするもの、糞便の水分が少ないもの、糞便の臭いが少ないもの等様々な目的としたものが提供されている。
【０００３】
特に尿、糞便の臭いや体臭の対策がされたペットフードには、水溶性２重体鉄塩、通称名アイルランド有機ミネラル海泥又はアイリッシュマディを飼料に混入するもの等があるが、糞便や、尿、体臭の充分な消臭効果が得られなかった。（特許文献１参照）
【０００４】
また、鳥ささみを擂り潰した後、膨張剤とキトサン（糞便改良剤）及び糖類を含む調味添加剤を添加して混合混練したものを円柱状に整形し冷凍後数ミリの円盤状に裁断し、温風乾燥及び焙焼おこなったペットフードも存在したが糞便の消臭効果があっても尿の消臭効果は今一つ好ましいものではなかった。（特許文献２参照）
【０００５】
また、亜鉛、マグネシュウム、鉄等の物質がイオン化して含有する天然ミネラルの成分を、ケイサン・アルミナ・カルシュウム等の物質を含有する天然ゼオライトに吸着かつ含侵させ、該吸着、含浸成分を牛、豚、鶏等の家畜類に補給することを特徴とする養殖用飼料なども存在したがデリケートな犬や猫用のペットフードとしての提供ではなく家畜飼料に留まるものだった。（特許文献３参照）
【０００６】
【特許文献１】特開平１１−２６６７９４
【特許文献２】特開２００４−３３０９５
【特許文献３】特開２００４−９２９９８
【発明の開示】
【発明が解決しようとする課題】
【０００７】
本発明はリモナイトの微粉末をペットフードに混入し風味を害することなく、動物の体臭、尿や糞便の消臭効果を図らんとしたものである。リモナイト（２Ｆｅ2 Ｏ・３Ｈ2Ｏ）は、火山の噴火の際に温泉水が上昇する途中で鉄イオンを溶かし込み、地表付近で酸化され水酸化鉄（褐鉄鋼）となり、これが沈殿して出来たものである。リモナイトは鉄分約７０％に、残部にリン、カルシュウム、マグネシュウム、珪酸、カリュウム、ナトリウム、硫黄、腐葉土を含む総合的な栄養成分を含有し無臭なものである。また、化学的性質は安定性が低く、化学的に安定状態となるために様々な物質の分子と結び付く性質を有している。
また、リモナイト土は天日でさらした段階では砂のように目が粗く、粒子の大きさもまちまちで、舌触りが悪く到底食べられるものではない。また色も黒褐色から黄褐色のためそのままでは飛散し部屋を黒く汚したり、動物そのものも汚れの原因となり白い毛の動物も薄汚くなり、毛並みも悪くペットらしからぬ動物となり見た目も悪く到底食材に利用される状態ではない。
【０００８】
本発明は上記状況に鑑み、リモナイトの化学的に不安定な性質を積極的に利用したものである。本発明で用いるリモナイトはミネラル鉱石を採掘し天日で３年間ほど乾燥し熟成したものを原料とし、これをガスの直火で２００℃から３００℃で微生物や菌が混入しているものを殺菌する。これを擂り潰したものを数回に亘り篩にかけ、微細分化したものを精製したものである。尚、微細化方法はこの他に、殺菌した原材料を擂り潰したものを水に混ぜ、沈殿させその際の上澄み液を採取し、これを乾燥させ、更に篩にかけたものなどでも良い。このようにパウダー化させる方法はこれらに限定されないものである。粒度は好ましくは８０メッシュ〜１００メッシュ位のものを用いることが望ましい。本発明のリモナイトの微粉末はこれらの粒度を中心に５０メッシュから２００メッシュの範囲に広く選択できる。本発明に用いるリモナイト粉末は、通常市販されている小麦粉や、片栗粉のような粉体の粒度に仕上がればこれくらいのものでも良い。
【０００９】
本発明の目的は、このようにリモナイトに含まれるＦｅＯ（ＯＨ）イオンの作用でペットの排泄物に含まれる各種の臭いのもととなる成分がこれと結合し取り込まれることにより、排出される尿や糞便が無臭に近くなり、また体臭も無臭になるような嗜好性の高いペットフードの提供をすることにある。
【００１０】
また本発明の目的は、ペットフードの中にリモナイト粉末をいかにして一定濃度含有させるかを検討の結果、リモナイトを精製し微細粉末化したものを用いることにより、舌のザラザラした感触を極力押さえ、更に調理を改善し、これを食材の中に一定量混入させ、嗜好を落とさず、効果的に動物の体臭、糞便、尿等の消臭効果を向上させたペットフードの提供をすることにある。
【００１１】
また本発明の目的は、仕上がり状態でのペットフードの中のリモナイトの含有量を動物の種類や大きさに応じて選択的に与えうるようなペットフードを提供することにある。
【００１２】
また本発明の目的は、ペットの体臭、尿、糞便の臭いの状態に応じてパウダー状リモナイト微粉末を含むペットフードを選択的に食べさせることができるようにしたことにある。
【００１３】
このように本発明は、牛肉、馬肉、鹿肉、豚肉、鶏肉、魚肉等を加工したものを餌として単独で与えるのみでは、栄養過多となり肥満の原因になるばかりか、糞臭、体臭、尿臭の対策は全く改善されないものであった。他方、リモナイト粉末は通常粒度が粗いこともあり、餌にふりかけてもペットはそのままでは全くと言っていいほど食べない。このため調理の加工方法を改善することと、用いるリモナイト粉末を微粉末とすることにより、風味を害することなく食材に程よく混入させることに成功したものである。
【００１４】
また、リモナイトは、鉄分約７０％に、残部にリン、カルシュウム、マグネシュウム、珪酸、カリュウム、ナトリウム、硫黄、腐葉土を含む総合的な栄養成分を有するマルチミネラル食品であるため、動物の栄養バランスも効果的に維持でき、これを食させることにより、気力と生命力の向上につながるばかりか、動物の糞臭、尿や体臭の消臭効果を著しく改善するなど生活環境に与える影響は大なるものである。
本発明で用いるリモナイトは、阿蘇山で採取されるものが好適である。その成分は、Fe2O3 69.08%, P 0.094%, CaO 1.49%, MgO 0.51%, Na 0.015%, SiO2 13.7%, K 0.20%, Mn 0.029%, S 0.579%, Al2O3 2.76%である。
【課題を解決するための手段】
【００１５】
前記目的を達成する為に請求項１記載の発明は、粒度が５０〜２００メッシュのリモナイト粉末が混入された固形のペットフードであることを特徴とする（後述の発明を実施するための最良の形態の欄に記載した例のすべてに対応）。
【００１６】
前記目的を達成する為に請求項２記載の発明は、少なくとも動物骨スープと、乾燥おからまたはブレンド肉と、寒天と、リモナイト粉末とを含む原料を調合して煮込み、成型し、冷却し、乾燥させ、裁断して製造したペットフードであることを特徴とする（後述の「犬用ミネラルスティック（表１」）、「犬用ミネラルミートスティック（表２）」、「犬用ミネラルポークスティック米糠プラス（表３）」に対応）。
【００１７】
前記目的を達成する為に請求項３記載の発明は、少なくとも動物肉のミンチまたは魚肉のすり身と、澱粉と、リモナイト粉末とを含む原料を調合し、成型し、乾燥させ、裁断し、さらに乾燥させて製造した請求項１に記載のペットフードであることを特徴とする（後述の「犬用ミネラルささみ（表４のII-A-1からII-A-7）」に対応）。
【００１８】
前記目的を達成する為に請求項４記載の発明は、少なくとも動物肉のミンチまたは魚肉のすり身と、澱粉と、リモナイト粉末とを含む原料を調合し、成型し、乾燥させ、冷凍し、裁断し、さらに乾燥させて製造した請求項１に記載のペットフードであることを特徴とする（後述の「犬用ミネラルポーク（表６のIII-A-1 からIII-A-6 ）」、「犬用ミネラルフレンチ（表８のV-A-1 からV-A-5 ）」、「犬用ミネラルホース（表９のvI-A-1からvI-A-5）」に対応）。
【００１９】
前記目的を達成する為に請求項５記載の発明は、少なくとも動物肉のミンチまたは魚肉のすり身と、澱粉と、リモナイト粉末とを含む原料を調合し、成型し、乾燥させ、裁断して製造した請求項１に記載のペットフードであることを特徴とする（後述の「猫用ミネラルフィッシュ（表７のIV-B-1からIV-B-6）」、「猫用ミネラルささみ（表５のII-B-1からII-B-7）」に対応）。
【００２０】
前記目的を達成する為に請求項６記載の発明は、少なくとも動物肉のミンチまたは魚肉のすり身と、澱粉と、リモナイト粉末とを含む原料を調合し、加熱圧縮し、成型し、裁断して製造した請求項１に記載のペットフードであることを特徴とする（後述の「犬用ミネラルささみ（表４のII-A-8からII-A-14 ）」、「犬用ミネラルポーク（表６のIII-A-7 からIII-A-12）」、「犬用ミネラルフレンチ（表８のV-A-6 からV-A-10）」、「犬用ミネラルホース（表９のvI-A-6からvI-A-8）」、「猫用ミネラルささみ（表５のII-B-8からII-B-14 ）」、「猫用ミネラルフィッシュ（表７のIV-B-7からIV-B-12 ）」に対応）。
【００２１】
前記目的を達成する為に請求項７記載の発明は、少なくとも穀物粉と、膨張剤と、リモナイト粉末と、液卵と、水又は牛乳とを含む原料、
少なくとも穀物粉と、膨張剤と、リモナイト粉末と、油脂製品と、水又は牛乳とを含む原料、
少なくとも穀物粉と、膨張剤と、リモナイト粉末と、さつまいもペーストと、液卵とを含む原料、
穀物粉と、膨張剤と、油脂製品と、リモナイト粉末と、液卵と、水又は牛乳とを含む原料、
少なくとも穀物粉と、膨張剤と、油脂製品と、はちみつと、液卵と、乾燥おからと、リモナイト粉末と、水または牛乳とを含む原料、
少なくとも穀物粉と、膨張剤と、油脂製品と、はちみつと、液卵と、リモナイト粉末と、水で湿らせたかぼちゃのフレークと、水又は牛乳とを含む原料、
少なくとも澱粉と、ブドウ糖と、脱脂粉乳と、重曹と、無塩バターと、リモナイト粉末と、液卵とを含む原料、
のうちいずれか１つを調合し、成型し、加熱して製造した請求項１に記載のペットフードであることを特徴とする（後述の「犬用ミネラルクッキー（表１０）」、「犬用ミネラルごまクラッカー（表１１）」、「犬用ミネラルさつまいもクッキー（表１２）」、「犬用ミネラルケーキ（表１３）」、「犬用ミネラルおからマフィン（表１４）」、「犬用ミネラルかぼちゃケーキ（表１５）」、「犬用ミネラルボーロ（表１６）」にそれぞれ対応）。
【００２２】
前記目的を達成する為に請求項８記載の発明は、少なくとも米粉と、リモナイト粉末とを湯に溶かした混錬物を蒸し、成型し、これを加熱乾燥させて製造した請求項１に記載のペットフードであることを特徴とする（後述の「犬用ミネラルせんべい（表１７）」に対応）。
【発明の効果】
【００２３】
本発明のペットフードは、固形のペットフードであって、その中に微粉末のリモナイトが混入された状態になっているので、通常のペットフードと同じように食べさせることができ、ペットの排泄物の臭いや体臭を減少させることができる。
本発明のペットフードは、リモナイトの含有率が低いものは、主食のフードとしてペットに与えることができる。また、リモナイトの含有率が高いものは、間食として、いわゆるサプリメントとして与えることができる。
本発明により下記の効果が得られた。
【００２４】
発明の効果に見られる臭いの度合いを以下のように決めておく。
Ａ：臭いがほとんど無し、全く気にならない＝従来に比べて９０％以上の改善がされたことをいう。
Ｂ：臭いが著しく減少、気にならない＝従来に比べて８０％〜９０％位臭いの改善がされたことをいう。
Ｃ：臭いが減少、あまり気にならない＝従来に比べて７０％〜８０％位臭いの改善がされたことをいう。
Ｄ：臭いがやや減少、少しは気になる＝従来に比べて６０％〜７０％位臭いの改善がされたことをいう。
尚、上記Ａ〜Ｄは、人によっては臭いに敏感な人もいれば、そうでない人もいるため、本発明のペットフードを食べた動物が、例えば、飼い主にとって従来と比べてどの程度の割合で臭いの改善がされたかを感覚的に示したものである。
【００２５】
［Ａ］犬に与えた場合の発明の効果
Ａ１  体重１Ｋｇ、生後３ヶ月の小犬に、ペットフードに０．１％（％は重量％、以下同じ）のリモナイトを含むものを投与した場合。１回の食事に下記量のフードを１日２回（朝晩）、１週間与えた後の効果を以下上記Ａ〜Ｅの符号で示す。
糞臭      体臭      尿臭
Ａ１−１  ２ｇのフードをあたえる。        Ｄ        Ｄ        Ｄ
Ａ１−２  ４ｇのフードをあたえる。        Ｃ        Ｃ        Ｃ
Ａ１−３  ８ｇのフードをあたえる。        Ｂ        Ｂ        Ｂ
Ａ２  体重２K ｇ、生後５ヶ月の小犬に、ペットフードに０．５％のリモナイトを含むものを投与した場合。１回の食事に下記量のフードを１日２回（朝晩）、１週間与えた後の効果。
糞臭      体臭      尿臭
Ａ２−１  ４ｇのフードをあたえる。        Ｃ        Ｃ        Ｄ
Ａ２−２  ８ｇのフードをあたえる。        Ｃ        Ｃ        Ｃ
Ａ２−３  １２ｇのフードをあたえる。      Ｂ        Ｂ        Ｂ
Ａ３  体重３K ｇ、生後7 ヶ月の小犬に、ペットフードに５％のリモナイトを含むものを投与した場合。１回の食事に下記量のフードを１日２回（朝晩）、１週間与えた後の効果。
糞臭      体臭      尿臭
Ａ３−１    ６ｇのフードをあたえる。      Ｃ        Ｃ        Ｃ
Ａ３−２  １０ｇのフードをあたえる。      Ｃ        Ｃ        Ｃ
Ａ３−３  １４ｇのフードをあたえる。      Ｂ        Ｂ        Ｂ
Ａ４  体重４K ｇの犬に、ペットフードに１０％のリモナイトを含むものを投与した場合。１回の食事に下記量のフードを１日２回（朝晩）、１週間与えた後の効果。
糞臭      体臭      尿臭
Ａ４−１    ８ｇのフードをあたえる。      Ｃ        Ｃ        Ｃ
Ａ４−２  １２ｇのフードをあたえる。      Ｂ        Ｂ        Ｂ
Ａ４−３  １６ｇのフードをあたえる。      Ａ        Ａ        Ａ
Ａ５  体重８K ｇの犬に、ペットフードに２０％のリモナイトを含むものを投与した場合。１回の食事に下記量のフードを１日２回（朝晩）、１週間与えた後の効果。
糞臭      体臭      尿臭
Ａ５−１  １６ｇのフードをあたえる。      Ｂ        Ｂ        Ｂ
Ａ５−２  ２０ｇのフードをあたえる。      Ａ        Ａ        Ａ
Ａ５−３  ２４ｇのフードをあたえる。      Ａ        Ａ        Ａ
Ａ６  体重１２K ｇの犬に、ペットフードに３０％のリモナイトを含むものを投与した場合。１回の食事に下記量のフードを１日２回（朝晩）、１週間与えた後の効果。
糞臭      体臭      尿臭
Ａ６−１  ２４ｇのフードをあたえる。      Ａ        Ａ        Ｂ
Ａ６−２  ２８ｇのフードをあたえる。      Ａ        Ａ        Ａ
Ａ６−３  ３２ｇのフードをあたえる。      Ａ        Ａ        Ａ
Ａ７  体重１６K ｇの犬に、ペットフードに４０％のリモナイトを含むものを投与した場合。１回の食事に下記量のフードを１日２回（朝晩）、１週間与えた後の効果。
糞臭      体臭      尿臭
Ａ７−１  ３２ｇのフードをあたえる。      Ａ        Ａ        B 
Ａ７−２  ３６ｇのフードをあたえる。      Ａ        Ａ        Ａ
Ａ７−３  ４０ｇのフードをあたえる。      Ａ        Ａ        Ａ
Ａ８  体重２０K ｇの犬に、ペットフードに５０％のリモナイトを含むものを投与した場合。１回の食事に下記量のフードを１日２回（朝晩）、１週間与えた後の効果
糞臭      体臭      尿臭
Ａ８−１  ４０ｇのフードをあたえる。      Ａ        Ａ        Ａ
Ａ８−２  ４４ｇのフードをあたえる。      Ａ        Ａ        Ａ
Ａ８−３  ４８ｇのフードをあたえる。      Ａ        Ａ        Ａ
Ａ９  体重２４K ｇの犬に、ペットフードに６０％のリモナイトを含むものを投与した場合。１回の食事に下記量のフードを１日２回（朝晩）、１週間与えた後の効果
糞臭      体臭      尿臭
Ａ９−１  ４８ｇのフードをあたえる。      Ａ        Ａ        Ａ
Ａ９−２  ５２ｇのフードをあたえる。      Ａ        Ａ        Ａ
Ａ９−３  ５６ｇのフードをあたえる。      Ａ        Ａ        Ａ
Ａ10  体重２８K ｇの犬に、ペットフードに７０％のリモナイトを含むものを投与した場合。１回の食事に下記量のフードを１日２回（朝晩）、１週間与えた後の効果
糞臭      体臭      尿臭
Ａ１０−１  ５６ｇのフードをあたえる。    Ａ        Ａ        Ａ
Ａ１０−２  ６０ｇのフードをあたえる。    Ａ        Ａ        Ａ
Ａ１０−３  ６４ｇのフードをあたえる。    Ａ        Ａ        Ａ
Ａ11  体重３２K ｇの犬に、ペットフードに８０％のリモナイトを含むものを投与した場合。１回の食事に下記量のフードを１日２回（朝晩）、１週間与えた後の効果。
糞臭      体臭      尿臭
Ａ１１−１  ６４ｇのフードをあたえる。    Ａ        Ａ        Ａ
Ａ１１−２  ６８ｇのフードをあたえる。    Ａ        Ａ        Ａ
Ａ１１−３  ７２ｇのフードをあたえる。    Ａ        Ａ        Ａ
［Ｂ］猫に与えた場合の発明の効果
Ｂ１体重２００ｇ、生後３ヶ月の子猫に、ペットフードに０．１％のリモナイトを含むものを投与した場合。１回の食事に下記量のフードを１日２回（朝晩）、１週間与えた後の効果。
糞臭    体臭        尿臭
Ｂ１−１    １ｇのフードをあたえる。      Ｄ        Ｄ        Ｄ
Ｂ１−２    ２ｇのフードをあたえる。      Ｃ        Ｃ        Ｃ
Ｂ１−３    ３ｇのフードをあたえる。      Ｂ        Ｂ        Ｂ
Ｂ２  体重４００ｇ、生後５ヶ月の子猫に、ペットフードに０．５％のリモナイトを含むものを投与した場合。１回の食事に下記量のフードを１日２回（朝晩）、１週間与えた後の効果。
糞臭      体臭      尿臭
Ｂ２−１    １ｇのフードをあたえる。      Ｃ        Ｃ        Ｄ
Ｂ２−２    ２ｇのフードをあたえる。      Ｃ        Ｃ        Ｃ
Ｂ２−３    ３ｇのフードをあたえる。      Ｂ        Ｂ        Ｂ
Ｂ３  体重７００ｇ、生後７ヶ月の子猫に、ペットフードに５％のリモナイトを含むものを投与した場合。１回の食事に下記量のフードを１日２回（朝晩）、１週間与えた後の効果。
糞臭      体臭      尿臭
Ｂ３−１    １ｇのフードをあたえる。      Ｃ        Ｃ        Ｃ
Ｂ３−２    ２ｇのフードをあたえる。      Ｃ        Ｃ        Ｃ
Ｂ３−３    ３ｇのフードをあたえる。      Ｂ        Ｂ        Ｂ
Ｂ４  体重１K ｇの猫に、ペットフードに１０％のリモナイトを含むものを投与した場合。１回の食事に下記量のフードを１日２回（朝晩）、１週間与えた後の効果。
糞臭      体臭      尿臭
Ｂ４−１    ２ｇのフードをあたえる。      Ｃ        Ｃ        Ｃ
Ｂ４−２    ３ｇのフードをあたえる。      Ｂ        Ｂ        Ｂ
Ｂ４−３    ４ｇのフードをあたえる。      Ａ        Ａ        Ａ
Ｂ５  体重２K ｇの猫に、ペットフードに２０％のリモナイトを含むものを投与した場合。１回の食事に下記量のフードを１日２回（朝晩）、１週間与えた後の効果。
糞臭      体臭      尿臭
Ｂ５−１    ４ｇのフードをあたえる。      Ｂ        Ｂ        Ｂ
Ｂ５−２    ５ｇのフードをあたえる。      Ａ        Ａ        Ａ
Ｂ５−３    ６ｇのフードをあたえる。      Ａ        Ａ        Ａ
Ｂ６  体重３K ｇの猫に、ペットフードに３０％のリモナイトを含むものを投与した場合。１回の食事に下記量のフードを１日２回（朝晩）、１週間与えた後の効果。
糞臭      体臭      尿臭
Ｂ６−１    ６ｇのフードをあたえる。      Ａ        Ａ        Ｂ
Ｂ６−２    ７ｇのフードをあたえる。      Ａ        Ａ        Ａ
Ｂ６−３    ８ｇのフードをあたえる。      Ａ        Ａ        Ａ
Ｂ７  体重４K ｇの猫に、ペットフードに４０％のリモナイトを含むものを投与した場合。１回の食事に下記量のフードを１日２回（朝晩）、１週間与えた後の効果。
糞臭      体臭      尿臭
Ｂ７−１    ８ｇのフードをあたえる。      Ａ        Ａ        Ａ
Ｂ７−２    ９ｇのフードをあたえる。      Ａ        Ａ        Ａ
Ｂ７−３  １０ｇのフードをあたえる。      Ａ        Ａ        Ａ
Ｂ８  体重５．５K ｇの猫に、ペットフードに５０％のリモナイトを含むものを投与した場合。１回の食事に下記量のフードを１日２回（朝晩）、１週間与えた後の効果。
糞臭      体臭      尿臭
Ｂ８−１  １１ｇのフードをあたえる。      Ａ        Ａ        Ａ
Ｂ８−２  １２ｇのフードをあたえる。      Ａ        Ａ        Ａ
Ｂ８−３  １３ｇのフードをあたえる。      Ａ        Ａ        Ａ
Ｂ９  体重７K ｇの猫に、ペットフードに６０％のリモナイトを含むものを投与した場合。１回の食事に下記量のフードを１日２回（朝晩）、１週間与えた後の効果。
糞臭      体臭      尿臭
Ｂ９−１  １４ｇのフードをあたえる。      Ａ        Ａ        Ａ
Ｂ９−２  １５ｇのフードをあたえる。      Ａ        Ａ        Ａ
Ｂ９−３  １６ｇのフードをあたえる。      Ａ        Ａ        Ａ
Ｂ10  体重８．５K ｇの猫に、ペットフードに７０％のリモナイトを含むものを投与した場合。１回の食事に下記量のフードを１日２回（朝晩）、１週間与えた後の効果。
糞臭      体臭      尿臭
Ｂ１０−１  １７ｇのフードをあたえる。    Ａ        Ａ        Ａ
Ｂ１０−２  １８ｇのフードをあたえる。    Ａ        Ａ        Ａ
Ｂ１０−３  １９ｇのフードをあたえる。    Ａ        Ａ        Ａ
Ｂ11  体重１０K ｇの猫に、ペットフードに８０％のリモナイトを含むものを投与した場合。１回の食事に下記量のフードを１日２回（朝晩）、１週間与えた後の効果。
糞臭      体臭      尿臭
Ｂ１１−１  ２０ｇのフードをあたえる。    Ａ        Ａ        Ａ
Ｂ１１−２  ２１ｇのフードをあたえる。    Ａ        Ａ        Ａ
Ｂ１１−３  ２３ｇのフードをあたえる。    Ａ        Ａ        Ａ
【発明を実施するための最良の形態】
【００２６】
本発明は、牛骨、馬骨、鹿骨、豚骨、鶏骨、その他の獣骨付き肉のスープを煮込んだものを１種又は複数種を選択的に用いて、これに乾燥おから，ブレンド肉又は米糠のうち１種又は複数種を選択的に混合し、これにゲル化剤と、精製されたリモナイト微粉末を混入したものを煮込み、成型後、冷やし固めて、乾燥、裁断し、仕上がり状態でのリモナイトの含有率を０．１〜８０％にしたペットフードである。
【００２７】
また、本発明は、牛肉、馬肉、鹿肉、豚肉、鶏肉、その他の獣肉、魚肉のミンチを１種又は複数種を選択的に用いて、これに乾燥おから，澱粉、ブレンド肉、米糠、水で湿らせたじゃがいものフレークのうち１種又は複数種を選択的に混合し、これにゲル化剤と、精製されたリモナイト微粉末を混入したものを調合、成型し、乾燥し、仕上がり状態でのリモナイトの含有率を０．１〜８０％にしたペットフードである。
【００２８】
また、本発明は、牛肉、馬肉、鹿肉、豚肉、鶏肉、その他の獣肉、魚肉のミンチを１種又は複数種を選択的に用いて、これに乾燥おから，澱粉、ブレンド肉、米糠、水で湿らせたじゃがいものフレークのうち１種又は複数種を選択的に混合し、これにゲル化剤と、精製されたリモナイト微粉末を混入したものを調合、成型し、仕上がり状態でのリモナイトの含有率を０．１〜８０％にしたペットフードである。
【００２９】
また、本発明は、薄力粉、全粒粉、その他の穀類粉、ベーキングパウダー等の膨張剤を篩いにかけたものに無塩バター、粉チーズ、パウダー状のリモナイト微粉末、液卵、水又は牛乳を少しずつ加えて粘性体の生地としたものを、成型又は型に流し込み、加熱し出来上がりの加熱物中のリモナイトの含有率を０．１〜４０％にしたペットフードである。
【００３０】
また、本発明は、澱粉、ブドウ糖、脱脂粉乳、重曹、無塩バター、リモナイト微粉末、液卵を加えたものを加熱し、出来上がりの加熱物中のリモナイトの含有率を０．１〜３０％にしたペットフードである。
【００３１】
また本発明は、米粉、リモナイト微粉末にお湯を加えたものを加熱し、出来上がりの加熱物中のリモナイトの含有率を０．１〜４５％にしたペットフードである。
【００３２】
次に、本発明の実施例につき、添付図面を参照して以下に説明する。
図１から図７は本発明のリモナイト粉末を用いたペットフードの製造方法を説明する工程図である。図１は動物骨スープを他の食材と共に調合した場合のスープ味を滲み込ませたペットフードの製造方法である。また、図２から図５は肉のミンチ又は魚のすり身を用いた場合の他のペットフードの製造方法である。また、図６は焼き菓子のペットフードの製造方法であり、図７はせんべいの等の菓子に応用したペットフードの製造方法である。尚、図２から図５において図２、図３は肉のミンチ又は魚のすり身の割合が比較的多い場合のペットフードの製造方法で加熱処理を２度施したものを示し、図４は肉のミンチ又は魚のすり身の割合が比較的多い場合でも加熱処理は１度を示し、図５も肉のミンチ又は魚のすり身の割合が比較的少ない場合の製造方法で１度の加熱・圧縮をする方法を示している。また前記、図２は肉のミンチ又は魚のすり身の割合が多い場合の第１のペットフードの製造方法を示し、図３は肉のミンチ又は魚のすり身の割合が多い場合の他の第２のペットフードの製造方法を示し、図４は肉のミンチ又は魚のすり身の割合が多い場合の更に他の第３のペットフードの製造方法を夫々示す。
【００３３】
以下、実施例について図及び表１から表１７を用いて、下記の区分に従って説明する。［Ｂ−１］の肉のミンチ又は魚のすり身の割合が比較的多い場合の第１の製造方法が適用される表４のささみが５０％前後を越える場合、及び［Ｂ−２］の肉のミンチ又は魚のすり身の割合が比較的多い場合の第２の製造方法が適用される表６のポークとささみの合計が５０重量％前後を越える場合、更には表８に示される鹿肉、表９に示される馬肉が３０重量％前後を越えるものについては一次乾燥、二次乾燥をすることが望ましいものである。これに対し、肉のミンチ又は魚のすり身の割合が比較的多い場合の第３の製造方法が適用される［Ｂ−３］の猫用ミネラルフィッシユ表７のいとより鯛や、猫用ミネラルささみ表５のささみの量が５０％前後を越えるものについては、加熱については１度行なってよいものである。これに対し肉のミンチ又は魚のすり身の割合が比較的少ない場合は、加圧・圧縮を同時に１度で行うことを加熱温度条件にしているものである。
【００３４】
図１から図７に対する本発明のペットフードの区分と説明については次の如く行われるものである。ベースとなる基礎食材の相違から次のように分け、それぞれの種類に名称をつけた。
［Ａ］スープ味を含浸させた食材を用いたペットフードの製造方法は図１にて示される。    ［１］犬用ミネラルスティック（表１に記載のものが対応）、
［２］犬用ミネラルミートスティック（表２に記載のものが対応）
［３］犬用ミネラルポークスティック米糠プラス（表３に記載のものが対応）
［Ｂ］またベースとなる基礎食材がミンチであるものは図２の［Ｂ−１］、図３の［Ｂ−２］、図４の［Ｂ−３］が考えられる。
［Ｂ−１］肉のミンチ又は魚のすり身の割合が比較的多い場合の第１の製造方法［図２にて説明される］
［１］犬用ミネラルささみ（表４に記載の範囲、II-A-1からII-A-7の全て）
［Ｂ−２］肉のミンチ又は魚のすり身の割合が比較的多い場合の第２のペットフードの製造方法［図３にて説明される］。
［１］犬用ミネラルポーク（表６に記載の範囲  III -A-1からIII -A-6の全て）
［２］犬用ミネラルフレンチ（表８記載の範囲  V -A-1からV -A-5の全て）
［３］犬用ミネラルホース（表９記載の範囲  VI-A-1からVI-A-5の全て）
［Ｂ−３］肉のミンチ又は魚のすり身の割合が多い場合の第３のペットフードの製造方法［図４にて説明される］
［１］猫用ミネラルフィッシユ（表７記載の範囲  IV-B-1からIV-B-6の全て）
［２］猫用ミネラルささみ（表５に記載の範囲、II-B-1からII-B-7の全て）
［Ｂ−４］肉のミンチ又は魚のすり身の割合比較的少ない場合のペットフードの製造方法［図５にて説明される］
［１］犬用ミネラルささみ（表４記載の範囲  加熱圧縮II-A-8からII-A-14 の全て）    ［２］犬用ミネラルポーク（表６記載の範囲  加熱圧縮III-A-7 からIII -A-12 の全て）
［３］犬用ミネラルフレンチ（表８記載の範囲  加熱圧縮V -A-6からV -A-10 の全て）
［４］犬用ミネラルホース（表９記載の範囲  加熱圧縮VI-A-6からVI-A-8全て）
［５］猫用ミネラルささみ（表５記載の範囲  加熱圧縮II-B-8からII-B-14 の全て）    ［６］猫用ミネラルフィッシュ（表７記載の範囲加熱圧縮IV-B-7からIV-B-12 全て）［Ｃ］菓子の製造法
［Ｃ−１］焼き菓子製造法［図６にて説明される］
［１］犬用ミネラルクッキー（表10記載の範囲VII -A-1-1からVII -A-1-6の全て）
［２］犬ミネラルごまクラッカー（表11に記載の範囲  VIII-A-1-1からVIII-A-1-10 の全て）
［３］犬用ミネラルさつまいもクッキー（表12記載の範囲  IX-A-2-1からIX-A-2-8の全て）
［４］犬用ミネラルケーキ（表13記載の範囲  X -A-1-1からX -A-1-6の全て）
［５］犬用ミネラルおからマフィン（表14記載の範囲XI-A-1-1からXI-A-1-4の全て）
［６］犬用ミネラルかぼちゃケーキ（表15記載の範囲XII -A-2-1からXII -A-2-5の全て）
［７］ボーロ（表16に記載  13-A-1から13-A-2）
［Ｃ−２］せんべいの製造法［図７にて説明］
［１］せんべい（表17記載の範囲  14-A-1から14-A-3の全て）
【００３５】
上記の如き本発明のペットフードの製造を順次説明するが、本発明の実施例は一例を示したものに過ぎずこれらに限定されない。基本的にはリモナイトの微粉末をペット用食材に混入させ調理して固形としたことが特徴である。本発明のリモナイトの微粉末の粒度は５０メッシュから１５０メッシュの範囲のものであれば良いが、８０メッシュから２００メッシュの範囲のものが好適である。本発明に用いるリモナイト微粉末は、通常市販されている小麦粉や、片栗粉のような粉体の粒度に仕上がったものであればこれくらいの粒度のものでもよい。このように本発明の上記技術的思想と共通する方法で製造するものは本発明の技術的範囲に含まれるものであり、これらの製造方法に限定されない。
【００３６】
［Ａ］スープ味を含浸させた食材を用いたペットフードの製造方法
尚、本説明では加熱が条件となっているため１次加熱、２次加熱が必要なものを説明する。
【００３７】
［１］  Ｉ−Ａ−１    犬用ミネラルスティック（表１参照）
（１）適用可能な範囲
犬用ミネラルスティックの製造方法は、図１の製造方法記載の如く、動物骨スープを乾燥おからに含浸させ、これに、寒天と、パウダー状のリモナイト微粉末とを原料・調合し、煮込み、成型物を冷却後、温風乾燥させ裁断する。乾燥後のリモナイトの含有率は０．１〜８０％である。
【００３８】
（２）製造方法
図１及び表１において、原料として動物骨スープ、例えば、豚骨スープ５０％〜８０％、乾燥おから０．０８％〜４８．３４％、寒天１．３％〜２．２％、粒度の細かいリモナイト微粉末０．０２％〜４７．５３％からなる原料・調合をステップ１で行い、ブレンドする。これをステップ２で加熱して煮込み、ステップ４で型に流し込むか成型の後、ステップ５で冷却して固め、ステップ６で再度４５℃から５０℃の温度で４０時間〜５３時間温風乾燥し、ステップ８で適当な大きさに裁断し、ステップ１０で計量・梱包をする。乾燥後のリモナイトの含有量は０．１％〜７７％としたものである。尚、乾燥温度及び乾燥時間はこれらに限定されない。また、豚骨スープ、乾燥おから、寒天、リモナイト微粉末等の混錬物の比率はこれらに限定されず、結果的にリモナイトの含有率が０．１％〜８０％ほど含まれていれば味が落ちることがなく動物の餌に供することが出来るものである。
【００３９】
尚、豚骨スープは脂抜きしたものを用い、濃い場合は水で薄める。水分量が５０％以下だとドロドロして煮込みが困難になる。乾燥おからはスープを吸収させて出来上がりのかさを上げるために入れ、また不足がちな食物繊維の補給にもなる。これによりスープの水分とリモナイト微粉末が程よく乾燥おからに吸収されるもので、おからが多いほうが弾力性もあり食べやすい。乾燥おからは米糠又は大豆タンパクに置き換えても良い。この場合に、リモナイトは微細粉末を用いることが肝心であり、５０％を超えるとペットフードの仕上がりがぱりぱりとなり味が悪くなり、０．０２％以下では子犬でも消臭効果が落ちる。寒天は水羊羹状に固化させるためのゲル化剤の一種であり、１．３％以下だと固化が悪くなり２．２％以上だと良く固まるが乾燥後のペットフードの仕上がりが硬くなる。また、ゲル化剤は寒天に限らず他の材料でも良い。これにより、リモナイト粉末を食材の中に平均的に封じ込めることができた。乾燥おからはリモナイト微粉末やスープを含浸させるためのもので、寒天等のゲル化剤はこれらを適当に固める為のものでありこれに限定されない。
【００４０】
【表１】
2006051022.tif 000003
【００４１】
（３）実施例  犬用ミネラルスティックの代表的なものを説明するがそれ以外のものも当然に含まれる。表１とともに説明する。同表においてＩ−Ａ−１−１からＩ−Ａ−１−８は実施例の一部を示したものである。本実施例の説明では、同表におけるＩ−Ａ−１−１、Ｉ−Ａ−１−５、Ｉ−Ａ−１−８について代表的に説明するが、他は説明がないが同様に本発明が適用される。
Ｉ−Ａ−１−１  実施例  
豚骨スープ５０％、乾燥おから４８．３４％、寒天１．６％、リモナイト微粉末０．０６％からなる原料・調合をステップ１で行いブレンドし、ステップ２で煮込み、ステップ４で成型し、ステップ５で冷却の後、ステップ６で４５℃で５０時間温風乾燥し、ステップ８で裁断し、ステップ１０で計量・梱包する。結果物のリモナイトの含有量を０．１％としたものである。
Ｉ−Ａ−１−５  実施例
豚骨スープ７０％、乾燥おから１７．１９％、寒天１．７％、リモナイト微粉末１１．１１％からなる原料・調合をステップ１で行いブレンドし、ステップ２で煮込み、ステップ４で成型し、ステップ５で冷却の後、ステップ６で４５℃で４５時間温風乾燥し、ステップ８で裁断し、ステップ１０で計量・梱包する。結果物のリモナイトの含有量を３０％としたものである。
Ｉ−Ａ−１−８  実施例
豚骨スープ８０％、乾燥おから０．０８％、寒天１．９％、リモナイト微粉末１８．０２％からなる原料・調合をステップ１で行いブレンドし、ステップ２で煮込み、ステップ４で成型し、ステップ５で冷却の後、ステップ６で４５℃で５０時間温風乾燥し、ステップ８で裁断し、同じく計量・梱包する。結果物のリモナイトの含有量を７３％としたものである。
【００４２】
表１に示したペットフードの最上段から７段までの実施例のペットフード、すなわち豚骨スープ５０％の実施例であって、出来上がりのリモナイト％がそれぞれ、０．１％、０．５％、５％、１０％、３０％、５０％、７７％のペットフードを犬に与え、その結果を以下に示す。これらのペットフードを与えたときの効果の度合いＡ〜Ｄは［発明の効果］の欄で説明したものと同じものを示す。
【００４３】
犬（ａ１、……、ａ７）に、通常の食事を与える他に、本実施例の上記のペットフードを間食として１日２回、１週間与えた後の効果を既述のＡ〜Ｅの符号で示す。
犬の体重はそれぞれ異なるので、１回に与える本実施例のペットフードの量をそれぞれの体重に対し０．２％とした。
犬番号    リモナイト含有率      糞臭      体臭      尿臭
ａ１        ０．１％            Ｄ        Ｄ        Ｄ
ａ２        ０．５％            Ｃ        Ｃ        Ｄ
ａ３            ５％            Ｃ        Ｃ        Ｃ
ａ４          １０％            Ｃ        Ｃ        Ｃ
ａ５          ３０％            Ａ        Ａ        Ｂ
ａ６          ５０％            Ａ        Ａ        Ａ
ａ７          ７７％            Ａ        Ａ        Ａ
【００４４】
次に、犬用ミネラルミートスティックの製造の実施例を図１とともに述べる。
［２］Ｉ−Ａ−２  犬用ミネラルミートスティック（表２）
（１）適用可能な範囲
本実施例のペットフードは、動物骨スープを用いてスープ味を含浸させたブレンド肉に、寒天と、リモナイト微粉末を少なくとも含み乾燥後のリモナイトの含有量を０．１％〜８０％とした。
【００４５】
（２）製造方法
動物骨スープ、例えば豚骨スープ３０％〜７５％、ブレンド肉０．２６％〜６８．３２％、寒天１．３％〜２．２％、リモナイト微粉末０．０３％〜６６．１２％からなる原料をステップ１で原料・調合しミキサーでブレンドし、撹拌しながら寒天を煮溶かしながらステップ２で煮込み、ステップ４で型に流し込み成型後、水羊羹状になるまでステップ５で冷却し固め、ステップ６で４５℃〜５０℃の温度で４０時間〜６４時間温風乾燥をし、ステップ８で適当な大きさに裁断し、ステップ10で計量・梱包し、リモナイトの含有量を０．１％〜８０％としたものである。
【００４６】
スープは豚骨をベースにしたがこれに限らず、牛骨、鳥がらスープの脂抜きしたものを用いても良く、濃い場合は水で薄める。またブレンド肉は牛肉、馬肉、鹿肉、豚肉、鶏肉、羊肉、その他の獣肉等の肉の１種又は複数種のミンチが考えられ、これに澱粉を混入しても良い。ミネラルスティックと比べて、乾燥おからの代わりに肉を入れたものである。リモナイト微粉末は６６．１２％を超えるとペットフードの仕上がりがぱりぱりとなり味が悪くなり、０．０５％以下では動物の大きさにもよるが体重の軽い犬でも消臭効果が落ちる。寒天は水羊羹状に固化するためのもので１．３％以下だと固化が悪くなり２．２％以上だと良く固まるが乾燥後のペットフードの仕上がりが硬くなる。かくして、これを冷やし固めて、水羊羹状にして乾燥後、サイコロ型、棒型にカットするものである。
【００４７】
【表２】
2006051022.tif 000004
【００４８】
（３）実施例  犬用ミネラルミートスティックの代表的なものを説明するがそれ以外のものも当然に含まれる。
表２とともに説明する。同表においてＩ−Ａ−２−１からＩ−Ａ−２−８は実施例の一部を示したものである。本実施例の説明では、同表におけるＩ−Ａ−２−１、Ｉ−Ａ−２−４、Ｉ−Ａ−２−８について代表的なものを説明するが、他は説明がないが表の全てが適用され同様に本発明に含まれる。
Ｉ−Ａ−２−１  実施例  
豚骨スープ３０％、ブレンド肉６８．３２％、寒天１．６％、リモナイト微粉末０．０８％からなる原料を調合１しブレンドし、同様に加熱煮込み、成型後、冷やし固め、４５℃で４８時間温風乾燥行った。得られた乾燥品中のリモナイトの含有量を０．１％としたものである。
Ｉ−Ａ−２−４  実施例  
豚骨スープ４５％、ブレンド肉２０．７３％、寒天１．８％、リモナイト微粉末３２．４７％からなる原料を調合し、加熱煮込み、成型後、冷やし固め、４５℃で４８時間温風乾燥行った。得られた乾燥品中のリモナイトの含有量を５０％としたものである。
Ｉ−Ａ−２−８  実施例  
豚骨スープ７５％、ブレンド肉０．９４％、寒天２％、リモナイト微粉末２２．０６％からなる原料を調合し、加熱煮込み、成型後、冷やし固め、５０℃で４５時間温風乾燥行った。得られた乾燥品中のリモナイトの含有量を７５％としたものである。
【００４９】
この犬用ミネラルミートスティックによっても、既述の犬用ミネラルスティックと同様の消臭効果が得られる。
【００５０】
［３］次に、犬用ミネラルポークスティック米糠プラスについて表３を用いて説明する。Ｉ−Ａ−３  犬用  ミネラルポークスティック米糠プラス（表３）
【００５１】
（１）適用可能な範囲
動物骨スープをブレンド肉と米糠の混合物に含浸させ、寒天、リモナイト微粉末を少なくとも含み乾燥後のリモナイトの含有量を０．１％〜８０％としたものである。
【００５２】
（２）製造方法
豚骨スープ３０％〜８０％、ブレンド肉０．４５％〜６２．１２％、米糠０．２％〜６．８％、寒天１．３％〜２．２％、リモナイト微粉末０．０２％〜６６．１２％からなる原料をステップ１で原料・調合しミキサーでブレンドする、ステップ２では寒天が煮溶けるまで加熱煮込み、ステップ４で型に流し込み、ステップ５で冷却し水羊羹状に冷やし固め、ステップ６で４５℃から５０℃の温度で３９時間から６６時間温風乾燥しステップ８でサイコロ型、棒型に裁断し、ステップ10で計量・梱包しリモナイトの含有量を０．１％〜８０％としたものである。
【００５３】
他の製造方法として豚骨スープ３０％〜８０％、ブレンド肉０．４５％〜６２．１２％、米糠０．２％〜６．８％、寒天１．３％〜２．２％、リモナイト微粉末０．０２％〜６６．１２％からなる原料をステップ１で原料・調合しミキサーでブレンドする、ステップ２では寒天が煮溶けるまで加熱煮込み、ステップ４で型に流し込み、ステップ５で冷却し水羊羹状に冷やし固め、ステップ６で４５℃から５０℃の温度で３９時間から６６時間温風乾燥しステップ８でサイコロ型、棒型に裁断し、ステップ10で計量・梱包しリモナイトの含有量を０．１％〜８０％としたものである。
【００５４】
スープは豚骨に限らず豚骨以外の動物骨でも良く、脂抜きしたものを用い、濃い場合は水で薄める。また、ブレンド肉は牛肉、馬肉、鹿肉、豚肉、鶏肉、羊肉、その他獣肉等の肉の１種又は複数種ミンチが考えられる。米糠は乾燥おから又は大豆タンパクに替えても良い。リモナイト微粉末は粒度の細かいものを用い６６．１２％を超えるとペットフードの仕上がりがぱりぱりとなり味が悪くなり、０．０７％以下では動物の大きさにもよるが体重の軽い犬でも消臭効果が落ちる。寒天は固化するためのもので１．３％以下だと固化が悪くなり２．２％以上だと良く固まるが乾燥後のペットフードの仕上がりが硬くなる。
【００５５】
【表３】
2006051022.tif 000005
【００５６】
（３）実施例  犬用ミネラルポークスティック米糠プラスの代表的なものを説明するがそれ以外のものも当然に含まれる。
表３においてＩ−Ａ−３−１からＩ−Ａ−３−８は実施例の一部を示したものである。本実施例の説明では、同表におけるＩ−Ａ−３−１、Ｉ−Ａ−３−４、Ｉ−Ａ−３−８について代表的に説明するが、他は説明がないが同様に本発明が適用される。
【００５７】
Ｉ−Ａ−３−１  実施例  
豚骨スープ３０％、ブレンド肉６２．１２％、米糠６．２％、寒天１．６％、リモナイト微粉末０．０８％からなる原料を調合し、加熱煮込み、成型後、冷却し、４５℃で５０時間温風乾燥し、裁断した。得られた乾燥品中のリモナイトの含有量を０．１％としたものである。
Ｉ−Ａ−３−４  実施例  
豚骨スープ４０％、ブレンド肉２０．６９％、米糠２．３％、寒天１．８％、リモナイト微粉末３５．２１％からなる原料を調合し、加熱煮込み、成型後、冷やし固め、４５℃で５０時間温風乾燥し、裁断した。得られた乾燥品中のリモナイトの含有量を５０％としたものである。
Ｉ−Ａ−３−８  実施例  
豚骨スープ８０％、ブレンド肉０．４５％、寒天１．９％、リモナイト微粉末１７．６５％からなる原料を調合し、加熱煮込み、成型後、冷やし固め、５０℃で５０時間温風乾燥し、裁断した。得られた乾燥品中のリモナイトの含有量を７５％としたものである。
【００５８】
この犬用ミネラルポークスティック米糠プラスによっても、既述の犬用ミネラルスティックと同様の消臭効果が得られる。
【００５９】
［Ｂ−１］次に、図２〜図５の製造方法を用いて、図１のスープに代えて、肉のミンチ又は魚のすり身を材料とした場合についての説明をする。
肉のミンチ又は魚のすり身の割合が比較的多い場合の第１のペットフードの製造方法［図２を参照］には、表４の犬用ミネラルささみの、II−Ａ−１からII−Ａ−７が該当する。
【００６０】
［１］犬用ミネラルささみについて
（１）適用可能な範囲
動物肉のミンチにリモナイト微粉末を混入し、乾燥後のリモナイトの含有量を０．１％から８０％としたものである。
【００６１】
更には、動物肉のミンチと、乾燥おからと、澱粉と、リモナイト微粉末を含み乾燥後のリモナイトの含有量を０．１％から８０％としたものである。
【００６２】
（２）製造方法
図２及び表４において、少なくとも鶏肉又はささみのミンチ、リモナイト微粉末からなる原料をステップ１で原料・調合をし、ステップ４の成型機で押し出し成型し、断面３ｃｍ、楕円のもので長さ１ｍぐらいの棒状物にする。ステップ６で８０℃前後で１．５〜２時間ほど一次乾燥をする。その後、室温で冷ましてからステップ８で４〜８ｍｍに裁断し、ステップ９で網に広げ４０℃前後の温度で４時間３０分温風乾燥したもので、これをステップ１０で計量・梱包をする。この場合の製品中のリモナイトの含有量を０．１％から８０％としたものである。
【００６３】
更には、鶏のささみミンチ５４％〜９５％、リモナイト微粉末を０．０５％〜４２．８％からなる原料をステップ１で原料・調合をし、ステップ４の成型機で押し出し成型し断面３ｃｍの楕円のもので、長さ1mぐらいの棒状物にする。ステップ６で８０℃前後で１時間３０分〜２時間ほど一次乾燥をする、その後、室温で冷ましてからステップ８で４〜８ｍｍに裁断し、ステップ９で網に広げ４０℃前後の温度で４時間３０分温風乾燥し、これをステップ10で計量・梱包する。この場合の製品中のリモナイトの含有量を０．１％から６０％としたものである。
【００６４】
更には、鶏のささみミンチ５４％〜９５％、乾燥おから１．５％〜８．４４％、澱粉３．２〜３１．８％、リモナイト微粉末０．０５％〜４２．８％からなる原料をステップ１で原料・調合をしても良い。
図２において、原料・調合は肉ミンチとして鶏ささみのミンチとリモナイト及び粉末のみをミキサー入れるか、又は乾燥おから、澱粉を加えてブレンドしてもよい。
【００６５】
【表４】
2006051022.tif 000006
【００６６】
（３）実施例  犬用ミネラルささみの代表的なものを説明するがそれ以外のものも当然に含まれる。
表４表においてII−Ａ−１からII−Ａ−７は肉の量が比較的多い場合の実施例の一部を示したものである。本実施例の説明では、同表におけるII−Ａ−１、II−Ａ−５、II−Ａ−７について代表的に説明する。また、本説明では加熱が条件となっているため１次加熱、２次加熱が必要なものを説明する。
【００６７】
II−Ａ−１  実施例
鶏ささみのミンチ９５％、乾燥おから４．９５％、リモナイト微粉末０．０５％を原料・調合してミキサーでブレンドし、これを成型機で網の上に押し出す、しかる後に乾燥をする。乾燥は８０℃で２時間乾燥し、これを小口切りに裁断する。これを、更に４０℃で１５時間温風乾燥したものである。出来上がりの結果物中のリモナイトの含有量を０．１％としたものである。
II−Ａ−５  実施例
鶏ささみのミンチ７２％、澱粉１０．９％、リモナイト微粉末１７．１％を原料・調合してミキサーでブレンドし、これを成型機で網の上に押し出す、しかる後に乾燥をする。乾燥は８０℃で２時間乾燥し、これを小口切りに裁断する。これを、更に４０℃で６時間３０分温風乾燥したものである。出来上がりの結果物中のリモナイトの含有量を３０％としたものである。
【００６８】
この犬用ミネラルささみによっても、既述の犬用ミネラルスティックと同様の消臭効果が得られる。
【００６９】
［Ｂ−２］次に、図３を用いて、肉のミンチ又は魚のすり身の割合が多い製品の第２のペットフードの製造方法について、犬用ミネラルポーク（表６）、犬用ミネラルフレンチ（表８）、犬用ミネラルホース（表９）の実施例をもとに説明する。尚、本説明では加熱が条件となっているため１次乾燥、２次乾燥が必要なものを説明する。
【００７０】
［１］III −Ａ  犬用ミネラルポーク（表６）
（１）適用化可能な範囲
本発明は、一種又は複数種の動物肉のミンチにリモナイト微粉末を混入し、乾燥物中のリモナイトの含有量を０．１％〜５５％としたものである。
【００７１】
（２）製造方法
ポークのミンチ２８％〜４８％、鶏ささみのミンチ２８％〜４８％、リモナイト微粉末０．０６％〜４２．６％からなる原料をステップ１で原料・調合しミキサーでブレンドし、次に、ステップ４でポンプで押し出し、断面３ｃｍ巾の楕円で長さ１ｍの棒状物に成型する。これをステップ６で４０℃前後の温度で３〜４時間前後一次乾燥し半生状態とする。次に、ステップ７で冷凍したのち、ステップ８で室温にて１０分ぐらい置き、裁断可能な状態になったら小口切りに裁断する。次に、ステップ９で網に広げ４０℃前後の温度で５時間３０分〜２４時間温風にて二次乾燥し、リモナイトの含有量を０．１％〜５５％としたものである。
【００７２】
更には、ポークのミンチ２８％〜４８％、鶏ささみのミンチ２８％〜４８％、澱粉１．０％〜４３．９２％、リモナイト微粉末０．０６％〜４２．６％からなる原料をステップ１で原料・調合しミキサーでブレンドしたものでもよい。
【００７３】
【表６】
2006051022.tif 000007
【００７４】
（３）実施例  犬用ミネラルポークの代表的なものを説明するがそれ以外のものも当然に含まれる。
表６においてIII −Ａ−１からIII −Ａ−６は実施例の一部を示したもので、同表におけるIII −Ａ−１、III −Ａ−４、III −Ａ−６について代表的に説明するが、他は説明が無いが同様に本発明が適用される。
III −Ａ−１  実施例  犬用ミネラルポーク
ポークのミンチ４８％、鶏のささみのミンチ４８％、澱粉３．９４％、リモナイト微粉末０．０６％を原料・調合し、これを成型し、４０℃で４時間一次乾燥し、冷凍後、小口切りに裁断する。これを、更に４０℃で２４時間温風にて二次乾燥し、出来上がりの結果物中のリモナイトの含有量を０．１％としたものである。
III −Ａ−４  実施例
ポークのミンチ３８％、鶏のささみのミンチ３８％、澱粉２．１％、リモナイト微粉末２１．９％を原料・調合し、成型し、これを４０℃で４時間一次乾燥し、小口切りする。これを、更に４０℃で６時間温風にて二次乾燥したものである。出来上がりの結果物中のリモナイトの含有量を３５％としたものである。
III −Ａ−６  実施例
ポークのミンチ２８％、鶏のささみのミンチ２８％、澱粉１．４％、リモナイト微粉末４２．６％を原料・調合し、成型し、これを４０℃で３時間一次乾燥し、小口切りする。これを、更に４０℃で５．５時間温風にて二次乾燥したものである。出来上がりの結果物中のリモナイトの含有量を５５％としたものである。
【００７５】
この犬用ミネラルポークによっても、既述の犬用ミネラルスティックと同様の消臭効果が得られる。
【００７６】
［２］V −Ａ  犬用ミネラルフレンチ（表８）
同様にして図３及び表８を参照して説明すると
（１）適用化可能な範囲
本発明は、動物肉のミンチと、水に湿らせたジャガイモのフレークと、澱粉と、リモナイト微粉末とを混合し、成型し、乾燥後の結果物中のリモナイトの含有量を０．１％〜８０％としたものである。
【００７７】
（２）製造方法
図３及び表８において、鹿肉のミンチ３０％〜５５％、水に湿らせたジャガイモのフレーク６％〜２５％、澱粉２％〜５６．６％、リモナイト微粉末０．０５％〜５４．４％からなる原料をステップ１で原料・調合しミキサーでブレンドし、次に、ステップ４でポンプで押し出し、断面３ｃｍ巾の楕円で長さ１ｍの棒状物に成型する。これをステップ６で４０℃前後の温度で３〜６時間前後一次乾燥し半生状態とする。次に、ステップ７で冷凍したのち、ステップ８で室温にて１０分ぐらい置き、裁断可能な状態になったら小口切りし裁断する。次に、ステップ９で網に広げ４０℃前後の温度で７時間〜１３時間温風にて二次乾燥し、リモナイトの含有量を０．１％〜７５％としたものである。
【００７８】
【表８】
2006051022.tif 000008
【００７９】
（３）実施例  犬用ミネラルフレンチの代表的なものを説明するがそれ以外のものも当然に含まれる。
表８において、V −Ａ−１からV −Ａ−５は実施例の一部を示したもので、同表におけるV −Ａ−１、V −Ａ−３、V −Ａ−５について代表的に説明するが、他は説明が無いが同様に本発明が適用される。
Ｖ−Ａ−１  実施例
鹿肉のミンチ５５％、水で湿らせたじゃがいものフレーク２５％、澱粉１９．９５％、リモナイト微粉末０．０５％を混合し、成型する。４０℃の乾燥室で６時間一次乾燥し、これを冷凍し、小口切りにする。更に、４０℃で１３時間温風にて二次乾燥する。出来上がりの結果物中のリモナイトの含有量を０．１％としたものである。
Ｖ−Ａ−３  実施例
鹿肉のミンチ４７％、水で湿らせたじゃがいものフレーク１２％、澱粉６．５％、リモナイト微粉末３４．５％を混合し成型する。４０℃の乾燥室で５時間一次乾燥し、これを冷凍し、小口切りにする。更に、４０℃で７時間温風にて二次乾燥する。出来上がりの結果物中のリモナイトの含有量を６０％としたものである。
Ｖ−Ａ−４  実施例
鹿肉のミンチ４０％、水で湿らせたじゃがいものフレーク１０％、澱粉６．２％、リモナイト粉末４３．８％を混合し成型する。４０℃の乾燥室で４時間一次乾燥し、これを冷凍し、小口切りにする。更に、４０℃で７時間温風にて二次乾燥する。出来上がりの結果物中のリモナイトの含有量を７０％としたものである。
Ｖ−Ａ−５  実施例
鹿肉のミンチ３０％、水で湿らせたじゃがいものフレーク６％、澱粉９．６％、リモナイト微粉末５４．４％を混合し成型する。４０℃の乾燥室で３時間一次乾燥し、これを冷凍し、小口切りにする。更に、４０℃で７時間温風にて二次乾燥する。出来上がりの結果物中のリモナイトの含有量を７５％としたものである。
【００８０】
この犬用ミネラルフレンチによっても、既述の犬用ミネラルスティックと同様の消臭効果が得られる。
【００８１】
［３］VI−Ａ  犬用  ミネラルホース（表９）
（１）適用可能な範囲
馬肉のミンチ、水で湿らせたじゃがいものフレーク、澱粉、パウダ−状リモナイト微粉末をブレンドし、ポンプで押し出し成型し、一次乾燥後半生状態としたものを冷凍したのち、裁断し、二次乾燥してリモナイトの含有量を０．１％〜７５％としたものである。
【００８２】
（２）製造方法
馬肉のミンチ３０％〜５５％、水で湿らせたじゃがいものフレーク６％〜２５％、澱粉２％〜５６．６％、リモナイト微粉末０．０５％〜５４．４％をステップ１で原料・調合しミキサーでブレンドし、次に、ステップ４でポンプで押し出し、断面３ｃｍ巾の楕円で長さ１ｍの棒状物に成型する。これをステップ６で４０℃前後の温度で３〜６時間前後一次乾燥後半生状態とする。次に、ステップ７で冷凍したのち、ステップ８で室温にて１０分ぐらい置き、裁断可能な状態になったら小口切りし裁断する。次に、ステップ９で網に広げ４０℃前後の温度で７時間〜１３時間温風にて二次乾燥し、リモナイトの含有量を０．１％〜７５％としたものである。
【００８３】
【表９】
2006051022.tif 000009
【００８４】
（３）実施例  犬用ミネラルホースの代表的なものを説明するがそれ以外のものも当然に含まれる。
表９においてVI−Ａ−１からVI−Ａ−５は実施例の一部を示したものである。本実施例の説明では、同表におけるVI−Ａ−１、VI−Ａ−３、VI−Ａ−５について代表的に説明するが、他は説明が無いが同様に本発明が適用される。
VI−Ａ−１  実施例
馬肉のミンチ５５％、水で湿らせたじゃがいものフレーク２５％、澱粉１９．９５％、リモナイト微粉末０．０５％を混合し、成型する。４０℃の乾燥室で６時間一次乾燥し、これを冷凍し、小口切りにする。更に、４０℃で１３時間温風にて二次乾燥する。出来上がりの結果物中のリモナイトの含有量を０．１％としたものである。
VI−Ａ−３  実施例
馬肉のミンチ４７％、水で湿らせたじゃがいものフレーク１２％、澱粉６．５％、リモナイト微粉末３４．５％を混合し、成型する。４０℃の乾燥室で５時間一次乾燥し、これを冷凍し、小口切りにする。更に、４０℃で７時間温風にて二次乾燥する。出来上がりの結果物中のリモナイトの含有量を６０％としたものである。
VI−Ａ−５  実施例
馬肉のミンチ３０％、水で湿らせたじゃがいものフレーク６％、澱粉９．６％、リモナイト微粉末５４．４％を混合し、成型する。４０℃の乾燥室で３時間一次乾燥し、これを冷凍し、小口切りにする。更に、４０℃で７時間温風にて二次乾燥する。出来上がりの結果物中のリモナイトの含有量を７５％としたものである。
【００８５】
この犬用ミネラルホースによっても、既述の犬用ミネラルスティックと同様の消臭効果が得られる。
【００８６】
［Ｂ−３］図４の肉のミンチ又は魚のすり身の割合が多い製品のペットフードの製造方法について述べる。これに該当するものは［１］表７の猫用ミネラルフィッシュについての実施例VI−Ｂ−１からVI−Ｂ−６が該当する。また［２］表５の猫用ミネラルささみについての実施例II−Ｂ−１からII−Ｂ−７が該当する。以下これらについて述べる。
［１］IV―Ｂ  猫用ミネラルフィッシュ（表７）
【００８７】
（１）適用可能な範囲
魚肉のすり身と、リモナイト微粉末をブレンドし、成型し、乾燥後の結果物中のリモナイトの含有量を０．１％〜７０％としたものである。
【００８８】
（２）他の適用可能な範囲
魚肉のすり身と、水で湿らせたじゃがいものフレークと、リモナイト微粉末をブレンドし、成型し、乾燥後の結果物中のリモナイトの含有量を０．１％〜７０％としたものである。
【００８９】
（３）他の適用可能な範囲
魚肉のすり身と、澱粉と、リモナイトをブレンドし、成型し、乾燥後の結果物中のリモナイトの含有量を０．１％〜７０％としたものである。
【００９０】
（４）他の適用可能な範囲
魚肉のすり身と、水で湿らせたじゃがいものフレークと、澱粉と、リモナイト粉末をブレンドし、成型し、乾燥後の結果物中のリモナイトの含有量を０．１％〜７０％としたものである。
（５）他の適用可能な範囲
イトヨリ鯛のすり身５０％〜９５％、水で湿らせたじゃがいものフレーク１％〜２０％、リモナイト微粉末０．０３％〜３７．４％をステップ１で原料・調合によりミキサーでブレンドし、ステップ４でポンプで押し出し直径１．５ｃｍの梅花型太目のソセージ状に成型し、その後ステップ６で４０℃で８時間〜２０時間乾燥し、冷えてからステップ８で厚さ１．５ｍｍ〜３ｍｍに裁断の後、ステップ１０で計量・梱包し出来上がりの結果物中のリモナイトの含有量を０．１％〜７０％としたものである。
（６）他の適用可能な範囲
イトヨリ鯛のすり身５０％〜９５％、澱粉２．２％〜３６．７％、リモナイト微粉末０．０３％〜３７．４％をステップ１で原料・調合によりミキサーでブレンドし、ステップ４でポンプで押し出し直径１．５ｃｍの梅花型太目の棒状に成型し、その後ステップ６で４０℃で８時間〜２０時間乾燥し、冷えてからステップ８で厚さ１．５ｍｍ〜３ｍｍに裁断の後、ステップ10で計量・梱包し出来上がりの結果物中のリモナイトの含有量を０．１％〜７０％としたものである。
（７）他の適用可能な範囲
イトヨリ鯛のすり身５０％〜９５％、水で湿らせたじゃがいものフレーク１％〜２０％、澱粉２．２％〜３６．７％、リモナイト粉末０．０３％〜３７．４％をステップ１で原料・調合によりミキサーでブレンドし、ステップ４でポンプで押し出し直径１．５ｃｍの梅花型太目のソセージ状に成型し、その後ステップ６で４０℃で８時間〜２０時間乾燥し、冷えてからステップ８で厚さ１．５ｍｍ〜３ｍｍに裁断の後、ステップ10で計量・梱包し出来上がりの結果物中のリモナイトの含有量を０．１％〜７０％としたものである。
（８）他の適用可能な範囲
尚、イトヨリ鯛に代えてスケソウダラ、マグロ、カツオ、サバ、イワシ、サケ、マス、アジ、サンマ、等を１種又は複数種のブレンド魚肉として用いてもよい。イトヨリ鯛は水分が多いため、乾燥により水分が飛ぶが、ジャガイモのフレークを入れることによりソフトに仕上がる。また、ジャガイモのフレークは大豆タンパク、米糠、乾燥おから、さつまいものフレーク、かぼちゃのフレークその他の乾燥野菜など各種食材の１種又は２種以上と置き換えが可能である。
【００９１】
（９）製造方法
魚の、例えば、イトヨリ鯛のすり身５０％〜９５％、リモナイト微粉末０．０３％〜３７．４％からなる原料をステップ１で原料・調合によりミキサーでブレンドし、ステップ４でポンプで押し出し直径１．５ｃｍの梅花型太目のソセージ状に成型し、その後ステップ６で４０℃で８時間〜２０時間乾燥し、冷えてからステップ８で厚さ１．５ｍｍ〜３ｍｍに裁断の後、ステップ10で計量・梱包し出来上がりの結果物中のリモナイトの含有量を０．１％〜７０％としたものである。
【００９２】
【表７】
2006051022.tif 000010
【００９３】
（１０）実施例  猫用ミネラルフィッシュの代表的なものを説明するがそれ以外のものも当然に含まれる。
表７においてIV−Ｂ−１からIV−Ｂ−６は実施例の一部を示したものである。本実施例の説明では、同表におけるIV−Ｂ−１、IV−Ｂ−４、IV−Ｂ−６について代表的に説明するが、他は説明が無いが同様に本発明が適用される。
【００９４】
IV−Ｂ−１  実施例  猫用ミネラルフィッシュ
イトヨリ鯛のすり身９５％、澱粉４．９７％、リモナイト微粉末０．０３％を混合し、混合物を成型後、加熱する。これを冷ましてから裁断し結果物のリモナイト粉末の含有量を０．１％としたものである。
IV−Ｂ−４  実施例
イトヨリ鯛のすり身７０％、水で湿らせたじゃがいものフレーク１４％、澱粉６．２％、リモナイト微粉末９．８％を混合し、混合物を成型後、加熱する。これを冷ましてから裁断し結果物のリモナイト粉末の含有量を３０％としたものである。
IV−Ｂ−６  実施例
イトヨリ鯛のすり身５０％、水で湿らせたじゃがいものフレーク８％、澱粉４．６％、リモナイト粉末３７．４％を混合し、混合物を成型後、加熱する。これを冷ましてから裁断し結果物のリモナイト粉末の含有量を７０％としたものである。
【００９５】
表７に示したペットフードのうち、いとより鯛５０％のときのもの全部についての実施例のペットフードを猫に与え、その結果を以下に示す。効果を示すＡ〜Ｄは、既に説明したものと同じである。
表７に示したペットフードの第２０段から第２６段までの実施例、すなわちいとより鯛５０％の実施例であって、出来上がりのリモナイト％がそれぞれ、０．１％、０．５％、５％、１０％、３０％、５０％、７０％のペットフードを猫に与え、その結果を以下に示す。効果の度合いＡ〜Ｄは［発明の効果］の欄で説明したものと同じものを示す。
【００９６】
猫（ｂ１、……、ｂ７）に、通常の食事を与える他に、本実施例の上記のペットフードを間食として１日２回、１週間与えた後の効果を既述のＡ〜Ｅの符号で示す。
猫の体重はそれぞれ異なるので、１回に与える本実施例のペットフードの量をそれぞれの体重に対し０．２％とした。
犬番号    リモナイト含有率      糞臭      体臭      尿臭
ｂ１        ０．１％            Ｄ        Ｄ        Ｄ
ｂ２        ０．５％            Ｃ        Ｃ        Ｄ
ｂ３            ５％            Ｃ        Ｃ        Ｃ
ｂ４          １０％            Ｃ        Ｃ        Ｃ
ｂ５          ３０％            Ａ        Ａ        Ｂ
ｂ６          ５０％            Ａ        Ａ        Ａ
ｂ７          ７０％            Ａ        Ａ        Ａ
【００９７】
次に、猫用ミネラルささみについて述べる。
［２］II−Ｂ  猫用ミネラルささみ（表５）
（１）適用可能な範囲
鶏肉または鶏ささみのミンチをミキサーに入れ、これにリモナイト微粉末をのみを入れ原料・調整したもの又は鶏ささみのミンチをミキサーに入れ、これに乾燥おから、澱粉を加えこれにリモナイト微粉末でブレンドし原料・調整をし、成型後、乾燥、裁断し、計量・梱包するものがある。
【００９８】
（２）製造方法
図４及び表５に於いて、鶏肉ミンチ５４％〜９５％、リモナイト微粉末０．０５％〜４２．８％からなる原料をステップ１で原料・調合してミキサーでブレンドし、ステップ４の成型機で押し出し成型し直径１．５ｃｍの梅花型の長さ１ｍぐらいの棒状物を得る、ステップ６で４０℃前後で乾燥したのち、ステップ８で室温に冷えてから１．５から３ｍｍに裁断し、ステップ10で梱包する。この場合の製品中のリモナイトの含有量を０．１％から８０％としたものである。
【００９９】
また、鶏のささみミンチ５０％〜９５％、乾燥おから１．５％〜８．４４％、澱粉３．２％〜４０．６％、リモナイト微粉末０．０５％〜４２．８％からなる原料で原料・調合してもよい。
【０１００】
また、鳥肉に代えて牛肉、馬肉、鹿肉、豚肉、羊肉、その他の獣肉等の肉の１種又は複数種のミンチと置き換えてもよい。乾燥おからは食物繊維の補給のため、或いは製品の食感をやわらかくするために混入される。また乾燥おからに代えて、大豆タンパク、米糠、じゃがいものフレーク、さつまいものフレーク、かぼちゃのフレーク、その他の乾燥野菜などの各種の食材を１種又は複数種に置きかえてもよい。
【０１０１】
【表５】
2006051022.tif 000011
【０１０２】
（３）実施例  猫用ミネラルささみの代表的なものを説明するがそれ以外のものも当然に含まれる。
表５においてII−Ｂ−１からII−Ｂ−７は肉の量が比較的多い場合の実施例の一部を示したもので、同表におけるII−Ｂ−１、II−Ｂ−５、II−Ｂ−６、II−Ｂ−７について代表的に説明する。
【０１０３】
（３）実施例  猫用ミネラルささみ
II−Ｂ−１  実施例
鶏のささみのミンチ９５％、乾燥おから４．９５％、リモナイト微粉末０．０５％を原料・調合をし、成型し、４０℃前後の温度で２９時間乾燥をし、裁断し、この場合の製品中のリモナイトの含有量を０．１％としたものである。
II−Ｂ−５  実施例
鶏のささみのミンチ７２％、リモナイト微粉末２８％を原料・調合し、成型し、４０℃前後の温度で１４時間乾燥をし、裁断し、この場合の製品中のリモナイトの含有量を５０％としたものである。
II−Ｂ−６  実施例
鶏のささみのミンチ６２％、澱粉４％、リモナイト微粉末３４％を原料・調合し、成型し、４０℃前後の温度で１２時間乾燥したのち、裁断し、この場合の製品中のリモナイトの含有量を５０％としたものである。
II−Ｂ−７  実施例
鶏のささみのミンチ５４％、澱粉３．２％、リモナイト微粉末４２．８％を原料・調合し、成型し、４０℃前後の温度で１０時間乾燥をした後、裁断し、この場合の製品中のリモナイトの含有量を６０％としたものである。
【０１０４】
この猫用ミネラルささみについても、既述の猫用ミネラルフィッシュと同様の消臭効果が得られる。
【０１０５】
次に、［Ｂ−４］、図５の肉のミンチ又は魚のスリ身の割合が少ない場合の製品製造方法について説明する。これに該当するのは［１］犬用ミネラルささみ（表４中、１次乾燥２次乾燥しない実施例）、［２］犬用ミネラルポーク（表６中、１次乾燥２次乾燥しない実施例）、［３］犬用ミネラルフレンチ（表８中、１次乾燥２次乾燥しない実施例）、［４］犬用ミネラルホース（表９中、１次乾燥２次乾燥しない実施例）、［５］猫用ミネラルささみ（表５中、乾燥しない実施例）、［６］猫用ミネラルフィッシュ（表７中、乾燥しない実施例）で、これらはいずれも１度で加熱・圧縮を同時に行うものの実施例である。これらの実施例によれば、加熱・圧縮をする際に乾燥も行われ、特に乾燥工程が必要でなくなるので、迅速に製造することができる。また、リモナイト粉末の濃度が高いものであっても、くずれ難く、形を保つことができる。
【０１０６】
以下これらについて説明するが、表４から表９は既に提示しているのでここでは再度掲載はしない。
［１］犬用ミネラルささみ（表４中、加熱・圧縮のみするもの  II-A-8からII-A-14)
（１）適用可能な範囲
【０１０７】
動物肉のミンチにリモナイト微粉末を混入し、乾燥後のリモナイトの含有量を０．１％から８０％としたものである。
【０１０８】
（２）適用可能な範囲
更には、動物肉のミンチと、乾燥おからと、澱粉と、リモナイト微粉末を含み乾燥後のリモナイトの含有量を０．１％から８０％としたものである。
【０１０９】
（３）製造方法
図５において、少なくとも鶏肉又はささみのミンチ、リモナイト微粉末からなる原料をステップ１で原料・調合をし、ステップ３で１３０℃で加熱・圧縮を行い、次にステップ４で成型しポンプで押し出し断面３ｃｍ、楕円のもので長さ１ｍぐらいの棒状物にする。ステップ８で室温で冷ましてから４〜８ｍｍに裁断し、これをステップ１０で計量・梱包する。この場合の製品中のリモナイトの含有量を０．１％から８０％としたものである。
【０１１０】
更には、鶏のささみミンチ１％〜５０％、リモナイト微粉末を０．０８％〜７９．８％からなる原料をステップ１で原料・調合をし、ステップ３で１３０℃で加熱・圧縮を行い、次にステップ４で成型しポンプで押し出し断面３ｃｍ、楕円のもので長さ１ｍぐらいの棒状物にする。ステップ８で室温で冷ましてから４〜８ｍｍに裁断し、これをステップ１０で計量・梱包する。この場合の製品中のリモナイトの含有量を０．１％から８０％としたものである。
【０１１１】
更には、鶏のささみミンチ１％〜５０％、乾燥おから０．４％〜３．９２％、澱粉４〜９８．９％、リモナイト微粉末０．１％〜７９．６％からなる原料をステップ１で原料・調合をしても良い。
【０１１２】
図５において、原料・調合は肉ミンチとして鶏ささみのミンチとリモナイト及び粉末のみをミキサー入れるか、又は乾燥おから、澱粉を加えてブレンドしてもよい。ステップ３では１３０度前後で加熱・圧縮同時に行うものである。
【０１１３】
（３）実施例について説明すると、表４中、加熱・圧縮のみするもの  II−Ａ−８からII−Ａ−１４が該当する。尚、説明の都合一部のみを説明するが説明のない他のものも当然に含まれる。
II−Ａ−８  実施例
鶏ささみのミンチ５０％、乾燥おから３．９２％、澱粉５６．０４％、リモナイト微粉末０．０８％の原料をステップ１で原料・調合をし、ステップ３で１３０℃で加熱・圧縮を行い、次にステップ４で成型しポンプで押し出し棒状物を裁断し、この場合の製品中のリモナイトの含有量を０．１としたものである。
II−Ａ−９  実施例
鶏ささみのミンチ３０％、澱粉４％、リモナイト微粉末６６％の原料をステップ１で原料・調合をし、ステップ３で１３０℃で加熱・圧縮を行い、次にステップ４で成型しポンプで押し出し棒状物を裁断し、この場合の製品中のリモナイトの含有量を８０％としたものである。
II−Ａ−１４実施例
鶏ささみのミンチ１％、澱粉１９．４％、リモナイト粉末７９．６％の原料をステップ１で原料・調合をし、ステップ３で１３０℃で加熱・圧縮を行い、次にステップ４で成型しポンプで押し出し棒状物を裁断し、この場合の製品中のリモナイトの含有量を８０％としたものである。
【０１１４】
［２］犬用ミネラルポーク（表６中、乾燥なし  III −Ａ−７からIII −Ａ−１２）
（１）適用化可能な範囲
本発明は、一種又は複数種の動物肉のミンチにリモナイト微粉末を混入し、乾燥物中のリモナイトの含有量を０．１％〜８０％としたものである。
【０１１５】
（２）製造方法
ポークのミンチ０．５％〜２７％、鶏ささみのミンチ０．５％〜２７％、リモナイト微粉末０．０８％〜７９．８％からなる原料をステップ１で原料・調合をし、ステップ３で１３０℃で加熱・圧縮を行い、次にステップ４で成型しポンプで押し出し断面３ｃｍ、楕円のもので長さ１ｍぐらいの棒状物にする。ステップ８で室温で冷ましてから４〜８ｍｍに裁断し、これをステップ１０で計量・梱包する。この場合の製品中のリモナイトの含有量を０．１％から８０％としたものである。
【０１１６】
（３）実施例について説明すると、表６中、加熱圧縮のみするものIII −Ａ−７からIII −Ａ−１２が該当する。尚、説明の都合一部のみを説明するが説明のない他のものも当然に含まれる。
III −Ａ−７  実施例
ポークのミンチ２７％、鶏のささみのミンチ２７％、澱粉４５．９％、リモナイトの粉末０．０８％を原料・調合し、加熱圧縮し、成型し、裁断し、出来上がりの結果物中のリモナイトの含有量を０．１％としたものである。この場合は二次加熱をしないものである。
III −Ａ−９  実施例
ポークのミンチ１０％、鶏のささみのミンチ１０％、澱粉１０％、リモナイト微粉末７０％を原料・調合し、加熱圧縮し、成型し、裁断し、出来上がりの結果物中のリモナイトの含有量を８０％としたものである。この場合は二次加熱をしないものである。
III −Ａ−１２  実施例
ポークのミンチ０．５％、鶏のささみのミンチ０．５％、澱粉１９．２％、リモナイト粉末７９．８％を原料・調合し、加熱圧縮し、成型し、裁断し、出来上がりの結果物中のリモナイトの含有量を８０％としたものである。この場合は二次加熱をしないものである。
【０１１７】
［３］V −Ａ  犬用ミネラルフレンチ（表８中  V −Ａ−６からV −Ａ−１０）
（１）適用可能な範囲
本発明の基本的な構成は、動物肉のミンチと、水に湿らせたジャガイモのフレークと、澱粉と、リモナイト微粉末とを混合し、加熱・圧縮し、成型し、裁断し、乾燥後の結果物中のリモナイトの含有量を０．１％〜８０％としたものである。
【０１１８】
（２）製造方法
ジャガイモのフレークを水に湿らせておく、鹿肉５％〜３０％、水に湿らせたジャガイモのフレーク０．５％〜１０％と、澱粉１１．５％〜９１．５％、リモナイト微粉末０．０５％〜７６％からなる原料をステップ１で原料・調合をし、ステップ３で１３０℃で加熱・圧縮を一度で行い、次にステップ４で成型しポンプで押し出し断面３ｃｍ、楕円のもので長さ１ｍぐらいの棒状物にする。ステップ８で室温で冷ましてから４〜８ｍｍに裁断し、これをステップ１０で計量・梱包する。この場合の製品中のリモナイトの含有量を０．１％から８０％としたものである。
【０１１９】
（３）実施例  犬用ミネラルフレンチの代表的な表８中、V −Ａ−６からV −Ａ−１０を説明するがそれ以外のものも当然に含まれる。
Ｖ−Ａ−６  実施例
鹿肉のミンチ３０％、水で湿らせたじゃがいものフレーク１０％、澱粉５９．９５％、リモナイト微粉末０．０５％を原料・調合し、１３０℃で過熱・圧縮し、成型し、裁断し、出来上がりの結果物中のリモナイトの含有量を０．１％としたものである。この場合は二次加熱をしないものである。
Ｖ−Ａ−１０  実施例
鹿肉のミンチ５％、水で湿らせたじゃがいものフレーク０．５％、澱粉１８．５％、リモナイト微粉末７６％を原料・調合し、１３０℃で過熱・圧縮し、成型し、裁断し、出来上がりの結果物中のリモナイトの含有量を８０％としたものである。この場合は二次加熱をしないものである。
【０１２０】
［４］VI−Ａ  犬用  ミネラルホース（表9 中、VI−Ａ−６からVI−Ａ−８）
（１）好ましい範囲
馬肉のミンチ、水で湿らせたじゃがいものフレーク、澱粉、リモナイト微粉末を混合し、過熱・圧縮し、成型し、裁断し、乾燥後の結果物中のリモナイトの含有量を０．１％〜８０％としたものである。
【０１２１】
（２）製造方法
馬肉のミンチ５％〜３０％、水で湿らせたじゃがいものフレーク０．５％〜１０％、澱粉１１．５％〜９１．５％、リモナイト微粉末０．０５％〜７６％からなる原料をステップ１で原料・調合をし、ステップ３で１３０℃で加熱・圧縮を行い、次にステップ４で成型しポンプで押し出し断面３ｃｍ、楕円のもので長さ１ｍぐらいの棒状物にする。ステップ８で室温で冷ましてから４〜８ｍｍに裁断し、これをステップ１０で計量・梱包する。この場合の製品中のリモナイトの含有量を０．１％から８０％としたものである。
【０１２２】
（３）実施例  犬用ミネラルホースの代表的な表９中  VI−Ａ−６からVI−Ａ−８を説明するがそれ以外のものも当然に含まれる。
VI−Ａ−６  実施例
馬肉のミンチ３０％、水で湿らせたじゃがいものフレーク１０％、澱粉５９．９５％、リモナイト粉末０．０５％を原料・調合し、加圧・圧縮し、成型し、裁断し、出来上がりの結果物中のリモナイトの含有量を０．１％としたものである。この場合は加熱・圧縮を同時に行い２次加熱をしないものである。
VI−Ａ−８  実施例
馬肉のミンチ５％、水で湿らせたじゃがいものフレーク０．５％、澱粉１８．５％、リモナイト粉末７６％を原料・調合し加圧・圧縮し、成型し、裁断し、出来上がりの結果物中のリモナイトの含有量を８０％としたものである。この場合は加熱・圧縮を同時に行い２次加熱をしないものである。
【０１２３】
［５］猫用ミネラルささみ（表５中、II−Ｂ−８からII−Ｂ−１４）
（１）適用可能な範囲
鶏肉または鶏ささみのミンチをミキサーに入れ、これにリモナイト微粉末をのみを入れ原料・調整したもの又は鶏ささみのミンチをミキサーに入れ、これに乾燥おから、澱粉を加えこれにリモナイト微粉末でブレンドし原料・調整をするものがある。
【０１２４】
（２）製造方法
図５及び表５に於いて、鶏肉ミンチ１％〜５４％、リモナイト微粉末０．０８％〜７９．６％からなる原料をステップ１で原料・調合してミキサーでブレンドし、原料をステップ１で原料・調合をし、ステップ３で１３０℃で加熱・圧縮を行い、次にステップ４で成型しポンプで押し出し棒状物にする。ステップ８で室温で冷ましてから裁断し、これをステップ１０で計量・梱包する。この場合の製品中のリモナイトの含有量を０．１％から８０％としたものである。
【０１２５】
また、鶏のささみミンチ１％〜５４％、乾燥おから０．４％〜３．９２％、澱粉４％〜９８．９％、リモナイト微粉末０．０８％〜７９．６％からなる原料で原料・調合してもよい。
【０１２６】
また、鶏肉に代えて牛肉、馬肉、鹿肉、豚肉、羊肉、その他の獣肉等の肉の１種又は複数種のミンチと置き換えてもよい。乾燥おからは食物繊維の補給のため、或いは製品の食感をやわらかくするために混入される。また乾燥おからに代えて、大豆タンパク、米糠、じゃがいものフレーク、さつまいものフレーク、かぼちゃのフレーク、その他の乾燥野菜などの各種の食材を１種又は複数種に置きかえてもよい。
【０１２７】
（３）実施例  猫用ミネラルささみの代表的な表５中II−Ｂ−８からII−Ｂ−１４を説明するがそれ以外のものも当然に含まれる。
II−Ｂ−８  実施例
鶏のささみのミンチ５４％、乾燥おから３．９２％、澱粉４２．０２％、リモナイト微粉末０．０８％を原料・調合し、加圧・圧縮し、成型し、裁断し、出来上がりの結果物中のリモナイトの含有量を０．１％としたものである。この場合は加熱・圧縮を同時に行い２次加熱をしないものである。
II−Ｂ−１１  実施例
鶏のささみのミンチ１０％、澱粉４３．６％、リモナイト微粉末４６．４％を原料・調合し、加圧・圧縮し、成型し、裁断し、出来上がりの結果物中のリモナイトの含有量を５０％としたものである。この場合は加熱・圧縮を同時に行い２次加熱をしないものである。
II−Ｂ−１４  実施例
鶏のささみのミンチ１％、澱粉１９．４％、リモナイト粉末７９．６％を原料・調合し、加圧・圧縮し、成型し、裁断し、出来上がりの結果物中のリモナイトの含有量を８０％としたものである。この場合は加熱・圧縮を同時に行い２次加熱をしないものである。
【０１２８】
［６］猫用ミネラルフィッシュ（表７中、IV−Ｂ−７からIV−Ｂ−１２）
（１）適用可能な範囲
魚肉のすり身と、リモナイト微粉末を原料・調合してブレンドし、加圧・圧縮後、成型し、裁断し乾燥後の結果物中のリモナイトの含有量を０．１％〜８０％としたものである。
【０１２９】
（２）他の適用可能な範囲
魚肉のすり身と、水で湿らせたじゃがいものフレークと、リモナイト微粉末をブレンドし、加圧・圧縮後、成型し、裁断し乾燥後の結果物中のリモナイトの含有量を０．１％〜８０％としたものである。
【０１３０】
（３）他の適用可能な範囲
魚肉のすり身と、澱粉と、リモナイトをブレンドし、加圧・圧縮後、成型し、裁断し乾燥後の結果物中のリモナイトの含有量を０．１％〜８０％としたものである。
【０１３１】
（４）他の適用可能な範囲
魚肉のすり身と、水で湿らせたじゃがいものフレークと、澱粉と、リモナイト粉末をブレンドし、加圧・圧縮後、成型し、裁断し乾燥後の結果物中のリモナイトの含有量を０．１％〜８０％としたものである。
【０１３２】
（５）他の適用可能な範囲
イトヨリ鯛のすり身１％〜５０％、水で湿らせたじゃがいものフレーク０．５％〜１１％、リモナイト微粉末０．０６％〜７６．３％をステップ１で原料・調合によりミキサーでブレンドし原料をステップ１で原料・調合をしたものを用いてもよい。
【０１３３】
（６）他の適用可能な範囲
イトヨリ鯛のすり身１％〜５０％、澱粉０．５％〜１１％、リモナイト微粉末０．０６％〜７６．３％をステップ１で原料・調合したものを用いても良い。
【０１３４】
（７）他の適用可能な範囲
イトヨリ鯛のすり身１％〜５０％、水で湿らせたじゃがいものフレーク０．５％〜１１％、澱粉６．２％〜９８．４％、リモナイト粉末０．０６％〜７６．３％をステップ１で原料・調合したものを用いても良い。
【０１３５】
（８）尚、イトヨリ鯛に代えてスケソウダラ、マグロ、カツオ、サバ、イワシ、サケ、マス、アジ、サンマ、等を１種又は複数種のブレンド魚肉として用いてもよい。イトヨリ鯛は水分が多いため、乾燥により水分が飛ぶが、ジャガイモのフレークを入れることによりソフトに仕上がる。また、ジャガイモのフレークは大豆タンパク、米糠、乾燥おから、さつまいものフレーク、かぼちゃのフレークその他の乾燥野菜など各種食材の１種又は２種以上と置き換えが可能である。
【０１３６】
（９）製造方法
魚の、例えば、イトヨリ鯛のすり身１％〜５０％、リモナイト微粉末０．０６％〜７６．３％からなる原料をステップ１で原料・調合によりミキサーでブレンドし、ステップ３で１３０℃で加熱・圧縮を行い、次にステップ４で成型しポンプで押し出し断面３ｃｍ、楕円のもので長さ１ｍぐらいの棒状物にする。ステップ８で室温で冷ましてから４〜８ｍｍに裁断し、これをステップ10で計量・梱包する。この場合の製品中のリモナイトの含有量を０．１％から８０％としたものである。
【０１３７】
（１０）実施例  猫用ミネラルフィッシュの代表的な表７中  IV−Ｂ−７からIV−Ｂ−１２を説明するがそれ以外のものも当然に含まれる。
IV−Ｂ−７  実施例
イトヨリ鯛のすり身５０％、水で湿らせたじゃがいものフレーク１１％、澱粉４７．９％、リモナイト微粉末０．０６％を原料・調合し、加熱・圧縮し、成型し、裁断し出来上がりの結果物中のリモナイトの含有量を０．１％としたものである。この場合は加熱・圧縮を同時にし、加熱を再度行はないものである。
IV−Ｂ−１０  実施例
イトヨリ鯛のすり身１０％、水で湿らせたじゃがいものフレーク１．８％、澱粉１７．５％、リモナイト微粉末７０．７％を原料・調合し、加熱・圧縮し、成型し、裁断し出来上がりの結果物中のリモナイトの含有量を８０％としたものである。この場合は加熱・圧縮を同時にし、加熱を再度行はないものである。
【０１３８】
［Ｃ−１］焼き菓子のペットフードの製造方法
次に、焼き菓子の製造法について述べる。
［１］  犬用ミネラルクッキー（基本型）（表１０）
（１）適用可能な範囲
本実施例は、穀物粉と、膨張剤と、リモナイト粉末と、液卵に水又は牛乳を加えた混錬物を高温加熱した結果物に含まれるリモナイトの量が０．１％〜４０％である。
【０１３９】
（２）適用可能な範囲
薄力粉、ベーキングパウダー、無塩バター、リモナイト微粉末、液卵これに水又は牛乳加えてペースト状の生地としたものを成型し、加熱し、出来上がりでのリモナイトを０．１％〜４０％含有させたペットフードである。
【０１４０】
（３）適用可能な範囲
薄力粉３５％〜７５％、ベーキングパウダー０．１％〜１％を篩いにかけたものに無塩バター１％〜１２．５％、リモナイト微粉末０．０８％〜３０．８％、液卵５％〜１０％これに水又は牛乳２％〜５０％を少しずつ加えてペースト状の生地としたものを成型し、１８０℃のオーブンで１５分から２０分加熱し、製品の出来上がりでのリモナイトを０．１％〜４０％含有させたペットフードにある。
【０１４１】
【表１０】
2006051022.tif 000012
【０１４２】
（４）実施例  犬用ミネラルクッキーについて代表的なものを一部述べる。
VII −Ａ−１−１  実施例
薄力粉７５％、ベーキングパウダー０．４％を篩いにかけたものに無塩バター１２．５％、リモナイト粉末０．０８％、液卵１０％を混入し、これに水２％を少しずつ加えてペースト状の生地としたものを成型し、オーブンで１８０℃で２０分焼いたもので、製品の出来上がりでのリモナイトの量を０．１％にしたものである。
VII −Ａ−１−３  実施例
薄力粉５５％、ベーキングパウダー０．８％を篩いにかけたものに無塩バター５％、リモナイト粉末１５．４％、液卵６％を混入し、これに牛乳１７．８％を少しずつ加えてペースト状の生地としたものを成型し、カットし、オーブンで１８０℃で１６分焼いたもので、製品の出来上がりでのリモナイトの量を２０％にしたものである。
VII −Ａ−１−６  実施例
薄力粉３５％、ベーキングパウダー１．０％を篩いにかけたものに無塩バター１％、リモナイト粉末３０．８％、液卵５％を混入し、これに牛乳２７．２％を少しずつ加えてペースト状の生地としたものを成型し、カットし、オーブンで１８０℃で１５分焼いたもので、製品の出来上がりでリのモナイトの量を４０％にしたものである。
【０１４３】
［２］VIII−Ａ  犬用  ミネラルごまクラッカー（表１１）
（１）適用可能な範囲
穀物粉と、膨張剤と、リモナイト粉末とを水又は牛乳で混錬したものを乾燥し、乾燥物に含まれるリモナイトの含有量が０．１〜４０％であることを特徴とする。
【０１４４】
（２）他の適用可能な範囲
穀物粉と、膨張剤と、リモナイト粉末と、油脂製品とを少なくとも含み水又は牛乳で混錬したものを乾燥し、乾燥物に含まれるリモナイトの含有量が０．１〜４０％であることを特徴とする。
【０１４５】
（３）他の適用可能な範囲
薄力粉１５％〜４０％、全粒粉１５％〜３８％、ベーキングパウダー０．１％〜１％を篩いにかけたものにリモナイト粉末０．１％〜３５．２％を混入し水又は牛乳１４％〜２０％を少しずつ加えてペースト状の生地としたものを少なくとも含み、これを成型し、加熱乾燥後、出来上がりのペットフードに含まれるリモナイトの含有量が０．１〜４０％であることを特徴とする。
【０１４６】
（４）他の適用可能な範囲
薄力粉１５％〜４０％，全粒粉１５％〜３８％、ベーキングパウダー０．１％〜１％を篩いにかけたものに無塩バター０．６８％〜１５．９％、粉チーズ２％〜９％を混ぜこれにリモナイト粉末０．１％〜３５．２％、白ごま１．６％〜２６．１２％を混入し水又は牛乳１４％〜２０％を少しずつ加えてペースト状の生地としたものを成型し、加熱乾燥した後、出来上がりのペットフードに含まれるリモナイトの含有量を０．１〜４０％にしたことを特徴とする。
【０１４７】
（５）他の適用可能な範囲
小麦粉をベースとした薄力粉、全粒粉に限らずとうもろこし、粟、ひえ、大豆その他の穀類粉を用いても良い。又、ベーキングパウダーに限らず他の膨張剤を用いても良い。無塩バターに限らず、塩分の少なめのものであれば他のバター、マーガリン等の油脂製品を用いても良い。粉チーズはこれに順ずるものであればこれに限らない。白ごまは、ごまであればこれに限らない。水または牛乳はこれに順ずるものであれば液体乳製品や果汁液等であっても良い。
【０１４８】
【表１１】
2006051022.tif 000013
【０１４９】
（６）実施例  犬用ミネラルごまクラッカーについて一部代表的なものを述べる。
VIII−Ａ−１  実施例
薄力粉４０％、全粒粉３５％，ベーキングパウダー０．４％を篩いにかけたものに無塩バター６．５１％を混ぜこれにリモナイト粉末０．０９％を混入し水１８％を少しずつ加えてペースト状の生地としたものを成型し、１７０℃のオーブンで２０分焼いたもので、出来上がりのペットフードに含まれるリモナイトの含有量を０．１％としたものである。
VIII−Ａ−４  実施例
薄力粉２６％、全粒粉３４％，ベーキングパウダー０．８％を篩いにかけたものに粉チーズ２％を混ぜこれにリモナイト粉末２６．４％を混入し牛乳２０％を少しずつ加えてペースト状の生地としたものを成型し、１７０℃のオーブンで１２分焼いたもので、出来上がりのペットフードに含まれるリモナイトの含有量を３０％としたものである。
VIII−Ａ−７  実施例
薄力粉２０％、全粒粉２５％，ベーキングパウダー１％を篩いにかけたものに無塩バター０．８４％、粉チーズ５％を混ぜこれにリモナイト粉末２８．１６％を混入し水２０％を少しずつ加えてペースト状の生地としたものを成型し、１７０℃のオーブンで１１分焼いたもので、出来上がりのペットフードに含まれるリモナイトの含有量を３２％としたものである。
VIII−Ａ−１０  実施例
薄力粉１５％、全粒粉２０％，ベーキングパウダー１％を篩いにかけたものに無塩バター３．８％、粉チーズ５％を混ぜこれにリモナイト粉末３５．２％を混入し水２０％を少しずつ加えてペースト状の生地としたものをカットし、カットし、１７０℃のオーブンで２０分乾燥したもので、出来上がりのペットフードのリモナイトの含有量を４０％としたものである。
【０１５０】
（７）製作例
１．薄力粉５ｋｇ，全粒粉５ｋｇ，ベーキングパウダー２０ｇをふるいにかける。
２．前記１に無塩バター１ｋｇ、粉チーズ１００ｇを混ぜる。
３．前記２にリモナイト粉末１．１ｋｇ、白ごま１．５ｋｇを混ぜ水６００CCを少しずつ加えて生地にまとめる。
４．３ｍｍ厚に伸ばし、４角に切る。
５．１７０℃のオーブンで１０分から２０分焼く
６．冷めてから脱酸素剤、乾燥剤と共に化粧箱に入れてシールする。
【０１５１】
［３］IX−Ａ  犬用ミネラルクッキーさつまいもクッキー  （表１２）
（１）適用可能な範囲穀物粉と、膨張剤と、リモナイト粉末と、さつまいもペースと、液卵の混錬物を加熱乾燥した結果物に含まれるリモナイトの量が０．１％〜４５％であるペットフードにある。
【０１５２】
（２）他の適用可能な範囲
薄力粉１５％〜４０％、全粒粉１５％〜３８％、ベーキングパウダー０．１％〜１％を篩いにかけたものにリモナイト粉末０．０８％〜３４．６５％、液卵１７％〜２２％を混入し水２％〜７％を少しずつ加えてペースト状の生地としたものを成型し、カットし、オーブンで１６０℃で３０〜４０分加熱乾燥したもので、製品の出来上がりでのリモナイトの含有量を０．１％〜４５％にしたものである。
【０１５３】
（３）他の適用可能な範囲
薄力粉１５％〜４０％、全粒粉１５％〜３５％、ベーキングパウダー０．１％〜１％を篩いにかけたものにさつまいもペースト０．１６％〜４５．８２％及びリモナイト粉末０．０８％〜３４．６５％、液卵１７％〜２２％を混入し水２％〜７％を少しずつ加えてペースト状の生地としたものを成型し、カットし、オーブンで１６０℃で３０分〜４０分間加熱乾燥したもので、製品の出来上がりでのリモナイトの含有量を０．１％〜４５％にしたものである。
【０１５４】
【表１２】
2006051022.tif 000014
【０１５５】
（４）実施例  犬用ミネラルクッキーさつまいもクッキーについて一部代表的な例を述べる。  
IX−Ａ−２−１  実施例
薄力粉４０％、全粒粉３５％、ベーキングパウダー０．４％を篩いにかけたものにさつまいもペースト３．５２％及びリモナイト粉末０．０８％、液卵１８％を混入し水３％を少しずつ加えてペースト状の生地としたものを成型し、カットし、オーブンで１６０℃で４０分、加熱乾燥したもので、製品の出来上がりでのリモナイトの含有量を０．１％としたものである。
【０１５６】
IX−Ａ−２−４  実施例
薄力粉２６％、全粒粉２４％、ベーキングパウダー０．８％を篩いにかけたものにさつまいもペースト０．６４％及びリモナイト粉末２１．５６％、液卵２１％を混入し水６％を少しずつ加えてペースト状の生地としたものを成型し、カットし、オーブンで１６０℃で３２分加熱乾燥し、出来上がりの品に含まれるリモナイトの含有量を２８％にしたものである。
IX−Ａ−２−８  実施例
薄力粉１５％、全粒粉２０％、ベーキングパウダー１％を篩いにかけたものにリモナイト粉末３４．６５％、液卵２２％を混入し水７％を少しずつ加えてペースト状の生地としたものを成型し、カットし、オーブンで１６０℃で３０分加熱乾燥し、出来上がりの品に含まれるリモナイトの含有量を４５％にしたものである。
【０１５７】
（５）製作例
１．薄力粉５ｋｇ，全粒粉５ｋｇ、ベーキングパウダー２０ｇをふるいにかける。
２．サツマイモペースト１０ｋｇ、リモナイト粉末１ｋｇを混ぜ、液卵３ｋｇ、水１０００ccを少しずつ加えて生地にまとめる。
３．成型機で小判型にする。
４．１６０℃のオーブンで３０分から４０分焼く
５．冷めてから脱酸素剤、乾燥剤と共に化粧箱に入れてシールする。
【０１５８】
［４］X ーＡ  犬用  ミネラルケーキ（基本形）  （表１３）
（１）適用可能な範囲
穀物粉と、膨張剤と、油脂製品と、液卵と、リモナイト粉末とを含み水又は牛乳の混錬物を加熱乾燥し、得られた結果物中に含まれるリモナイトの量が０．１％〜３０％であるペットフードにある。
【０１５９】
（２）他の適用可能な範囲
薄力粉２０％〜５０％、ベーキングパウダー１．３％〜２％とを篩いにかけたものに無塩バター４％〜８％、液卵９％〜１３％、リモナイト粉末０．０８％〜２４％を混入しこれに水又は牛乳２５％〜５９％を少しずつ混ぜたものを少なくとも含みペースト状の生地としたものを成型し、カットし、オーブンで１８０℃で２１分〜３０分加熱乾燥し出来上がりの品に含まれるリモナイトの含有量を０．１％から３０％にしたものである。
【０１６０】
【表１３】
2006051022.tif 000015
【０１６１】
（３）実施例  犬用ミネラルケーキについて一部代表的なものを述べる。
X −Ａ−１−１  実施例
薄力粉５０％、ベーキングパウダー１．６％を篩いにかけたものに無塩バター８％、液卵１３％、リモナイト粉末０．０８％を混入し、水２７％を少しずつ加えてペースト状の生地としたものを成型し、カットし、オーブンで１８０℃で３０分加熱乾燥し出来上がりの品に含まれるリモナイトの含有量を０．１％にしたものである。
X −Ａ−１−４  実施例
薄力粉３０％、ベーキングパウダー１．８％を篩いにかけたものに無塩バター４％、液卵９％、リモナイト粉末２０％を混入し、牛乳３５％を少しずつ加えてペースト状の生地としたものを成型し、カットし、オーブンで１８０℃で２１分加熱乾燥し出来上がりの品に含まれるリモナイトの含有量を２５％にしたものである。
X −Ａ−１−６  実施例
薄力粉２０％、ベーキングパウダー１．７％を篩いにかけたものに無塩バター４％、液卵９％、リモナイト粉末２４％を混入し、牛乳４１％を少しずつ加えてペースト状の生地としたものを成型し、カットし、オーブンで１８０℃で２１分加熱乾燥し出来上がりの品に含まれるリモナイトの含有量を３０％にしたものである。
【０１６２】
［５］XI−Ａ  犬用ミネラルおからマフィンについて一部代表的なものを述べる。
（１）適用可能な範囲
穀物粉と、膨張剤と、油脂製品と、はちみつと、液卵と、乾燥おからと、リモナイト粉末と、さつまいもペーストを含み水又は牛乳の混錬物を加熱乾燥し、得られた結果物中に含まれるリモナイトの量が０．１％〜２７％であるペットフードにある。
（２）適用可能な範囲
薄力粉２０％〜３５％、ベーキングパウダー１．３％〜１．９％を篩いにかけたものに無塩バター４％〜８％、はちみつ１％〜３％、液卵６％〜１０％、乾燥おから１．２％〜１８．３％、リモナイト粉末０．０８％〜２１．６％、を混入し水又は牛乳４０％〜４４％を少しずつ加えてペースト状の生地としたものを成型し、カットし、オーブンで１８０℃で２０分〜３０分加熱乾燥し、出来上がりの品に含まれるリモナイトの含有量を０．１％〜２７％にしたものである。
【０１６３】
【表１４】
2006051022.tif 000016
【０１６４】
XI−Ａ−１  実施例
薄力粉３５％、ベーキングパウダー１．５％を篩いにかけたものに無塩バター８％、はちみつ３％、液卵１０％、乾燥おから２．４２％、リモナイト粉末０．０８を混入し水４０％を少しずつ加えてペースト状の生地としたものを成型し、カットし、オーブンで１８０℃で３０分加熱乾燥し、出来上がりの品に含まれるリモナイトの含有量を０．１％にしたものである。
XI−Ａ−４  実施例
薄力粉２０％、ベーキングパウダー１．７％を篩いにかけたものに無塩バター４％、はちみつ１％、液卵６％、乾燥おから１．７％、リモナイト粉末２１．６％を混入し、牛乳４４％を少しずつ加えてペースト状の生地としたものを成型し、カットし、オーブンで１８０℃で２０分加熱乾燥し、出来上がりの品に含まれるリモナイトの含有量を２７％にしたものである。
【０１６５】
（４）製作例
１．薄力粉１０ｋｇ、全粒粉５ｋｇ、ベーキングパウダー４０ｇをふるいにかける。
２．前記1 に無塩バター２ｋｇ、蜂蜜５００ｇ、液卵３ｋｇを良く混ぜ、更に水５ｋｇを少しずつ入れ混錬氏、おから３ｋｇ、リモナイト粉末１ｋｇを混ぜペースト状にしたものを生地にまとめる。
３．２を型に入れる。
４．１８０℃のオーブンで２０分から３０分焼く。
６．冷めてから脱酸素剤、乾燥剤と共に化粧箱に入れてシールする。
【０１６６】
［６］XII −Ａ  犬用  ミネラルかぼちゃケーキ  （表１５）
（１）適用可能な範囲
穀物粉と、膨張剤と、油脂製品と、はちみつと、液卵と、リモナイト粉末と、水で湿らせたかぼちゃのフレークを含み水又は牛乳との混錬物を加熱乾燥し、得られた結果物中に含まれるリモナイトの量が０．１％〜３０％であるペットフードにある。
【０１６７】
（２）他の適用可能な範囲
薄力粉６％〜１５％、全粒粉５％〜１９％、ベーキングパウダー０．８％〜１．５％とを篩いにかけたものに無塩バター４％〜８％、はちみつ１％〜３％、液卵１１％〜１３％、水で湿らせたかぼちゃのフレーク２８．５％〜６１．３％、リモナイト粉末０．０８％〜２４％を混入したものを少なくとも含みペースト状の生地としたものを、裁断し、加熱乾燥し出来上がりのリモナイトの含有量を０．１％〜３０％としたペットフードにある。
【０１６８】
【表１５】
2006051022.tif 000017
【０１６９】
（３）実施例  犬用ミネラルかぼちゃケーキについて一部代表的なものを述べる。  
XII −Ａ−２−１  実施例
薄力粉１５％、全粒粉１５％、ベーキングパウダー１．１％とを篩いにかけたものに無塩バター８％、はちみつ３％、液卵１３％、水で湿らせたかぼちゃのフレーク４４．８２％、リモナイト粉末０．０８％を混入しペースト状の生地としたものを成型し、カットし、オーブンで１８０℃で３０分加熱乾燥し出来上がりの品に含まれるリモナイトの含有量を０．１％にしたものである。
XII −Ａ−２−５  実施例
薄力粉６％、全粒粉９％、ベーキングパウダー１．２％とを篩いにかけたものに無塩バター４％、はちみつ１％、液卵１１％、水で湿らせたかぼちゃのフレーク４３．８％、リモナイト粉末２４％を混入しペースト状の生地としたものを成型し、カットし、オーブンで１８０℃で３０分加熱乾燥し出来上がりの品に含まれるリモナイトの含有量を３０％にしたものである。
【０１７０】
（４）ミネラルかぼちゃケーキの製作例
１．薄力粉１２ｋｇ、ベーキングパウダー５０ｇを篩いにかける。
２．無塩バター２ｋｇ、蜂蜜５００ｇ、液卵３ｋｇを良く混ぜ水６０００ccで湿らせたかぼちゃのフレーク３ｋｇ、リモナイト粉末１ｋｇを混ぜ生地にまとめる。
３．前記２に１を混ぜ型に入れる。
４．１８０℃のオーブンで２０分から３０分焼く。
【０１７１】
［７］１３−Ａ  犬用ミネラルボーロ  （表１６）
（１）適用可能な範囲
澱粉と、ブドウ糖と、脱脂粉乳と、重曹と、無塩バターと、リモナイト微粉末と、液卵とを含む混錬物を成型し、これを加熱乾燥し、得られた結果物中に含まれるリモナイトの量が０．１％〜４０％であるペットフードにある。
【０１７２】
（２）他の適用可能な範囲
澱粉４０％〜７５％と、ブドウ糖０．５％〜３％と、脱脂粉乳１．５１％〜４０．８５％と、重曹０．１％〜１％と、無塩バター１％〜１０％と、リモナイト微粉末と０．１％〜３８％、液卵５％〜１０％とを含む混錬物を成型又は型に入れて流し込み、これを加熱乾燥し、得られた結果物中に含まれるリモナイトの量が０．１％〜４０％であるペットフードにある。
【０１７３】
（３）適用可能な範囲
澱粉はじゃがいも澱粉を用いるがこれに限らず、小麦粉等を混入させても良い。無塩バター、液卵は必ずしも入れなくてもよいが入れたほうが嗜好性が高まる。
【０１７４】
【表１６】
2006051022.tif 000018
【０１７５】
（４）実施例  犬用ミネラルボーロについて一部代表的なのものを述べる。
１３−Ａ−１
澱粉７５％と、ブドウ糖３％と、脱脂粉乳１．５１％と、重曹０．４％と、無塩バター１０％と、リモナイト微粉末と０．１％、液卵１０％とを含む混錬物を成型し、これを加熱乾燥し、得られた結果物中に含まれるリモナイトの量が０．１％であるペットフードが得られた。
１３−Ａ−２
澱粉５５％と、ブドウ糖１％と、脱脂粉乳１３．２％と、重曹０．８％と、無塩バター５％と、リモナイト微粉末と１９％、液卵６％とを含む混錬物を成型し、これを加熱乾燥し、得られた結果物中に含まれるリモナイトの量が２０％であるペットフードが得られた。
１３−Ａ−３
澱粉４０％と、ブドウ糖０．５％と、脱脂粉乳１４．５％と、重曹１％と、無塩バター１％と、リモナイト微粉末と３８％、液卵５％とを含む混錬物を成型又は型に入れて流し込み、これを加熱乾燥し、得られた結果物中に含まれるリモナイトの量が４０％であるペットフードが得られた。
【０１７６】
［Ｃ−２］ミネラルせんべい  １４−Ａ  
ミネラルせんべいは図７に示す製造方法で製造可能であり、表１７と共に説明をする。
（１）適用可能な範囲
米粉、パウダ−状リモナイト微粉末とをお湯で混錬物を成型し、これを加熱乾燥し、更に直火で焼き、得られた結果物中に含まれるリモナイトの量が０．１％〜４５％であるペットフードにある。
【０１７７】
（２）他の適用可能な範囲
米粉４０％〜７５％、パウダ−状リモナイト微粉末０．０６％〜２８．４８％、お湯２１．８４％〜５９．９４％とを含む混錬物を調合し、これを蒸す、しかる後、成型し、これを55℃で３時間〜８時間加熱乾燥し、得られた結果物中に含まれるリモナイトの量が０．１％〜４５％としたペットフードにある。また本発明には米粉以外に小麦粉、澱粉等を同時に併用又は別途用いても良い。
【０１７８】
【表１７】
2006051022.tif 000019
【０１７９】
（３）製造方法
米粉４０％〜７５％、パウダ−状リモナイト微粉末０．０６％〜２８．４８％、お湯２１．８４％〜５９．９４％とを含む原料をステップ１で調合し混合する、ステップ１３で蒸し団子の生地のようにする。これを、成型し、ステップ１１で加熱乾燥し、得られた結果物中に含まれるリモナイトの量が０．１％〜４５％にしたペットフードにある。
【０１８０】
（４）実施例  ミネラルせんべいの実施例の一部を説明するが、記載無き部分についても同様に対象とされる。
１４−Ａ−１  
米粉７５％、パウダ−状リモナイト微粉末０．０６％、湯２４．９４％とを含む混錬物を成型し、これを加熱乾燥し、得られた結果物中に含まれるリモナイトの量が０．１％であるペットフードが得られた。
１４−Ａ−２  
米粉５５％、パウダ−状リモナイト微粉末１２．６６％、湯３２．３４％とを含む混錬物を成型し、これを加熱乾燥し、得られた結果物中に含まれるリモナイトの量が２０％であるペットフードが得られた。
１４−Ａ−３  
米粉４０％、パウダ−状リモナイト微粉末２８．４８％、湯３１．５２％とを含む混錬物を成型し、これを加熱乾燥し、得られた結果物中に含まれるリモナイトの量が４５％であるペットフードが得られた。
【０１８１】
以上の焼き菓子、ケーキ、せんべいなどによっても既述のペットフードと同様の消臭効果が得られる。
【０１８２】
以上から、本願発明はリモナイトの含有量が０．１％のものでも消臭効果が発揮されることがわかる。また、リモナイトの含有率が高いほど消臭効果も高く短い期間で臭いの改善が顕著になされている。また、本発明はリモナイトを他の食材に組み合わせて調理し加熱加工してあるため、動物の従来の食生活に沿った食事の提供が出来るため自然に消臭効果が期待できる。
【０１８３】
又、動物の体臭に応じてリモナイトが最終的に０．１％から８０％と幅広く含まれたものを品揃え出来るので、犬猫に一定期間、状況を見ながら餌として与えれば消臭効果の改善の具合が明瞭に判る。また、動物も個体差があるため消臭効果が低い場合は、リモナイトの含有量の高いものを与えるか、一回当たりの餌の量を（粒数）多く与えることで臭いの改善が可能なものである。
【０１８４】
又、本発明は嗜好性の高いペットフードにリモナイトの微粉末を混入させたものとして仕上げたため、動物は飽きることなく食べ続け、食べ続ける限り動物固有の体臭や尿、糞便の消臭効果を持続的に期待できる。また単に食欲が出るばかりか、体調も良くなり飼い主への反応も良くなり、明るく、社交的な性格になるなど優れた効果が期待できる。また蚤などの付着が無くなったり、少なくなった等の効果も期待できる。
【０１８５】
このように本発明は、動物の食事の摂取状況によってフードの種類を品揃えできるので、犬猫の体重や、嗜好に応じて適宜選択的にフードを与えることができる。また、本フードの摂取後の消臭効果は個体差があるとしても比較的早く現れ、一回の食事ですぐ効果がでるため、飼い主はペットの体臭、尿、糞便の臭いのコントロールが可能である。また、本発明は犬猫に限らず他の猿、ウサギ、マウス、リス、などの大小の動物にも適用可能である。また鳥等にも与えることが可能であるなどの優れた効果を有する。
【図面の簡単な説明】
【０１８６】
【図１】本発明の動物骨スープを他の食材に含浸させたものをベースに製造する場合のペットフードの製造方法を示す。
【図２】本発明の肉又は魚の割合が比較的多いすり身をベースにしたペットフードの第１の製造方法を示す。
【図３】本発明の肉又は魚の割合が比較的多いすり身をベースにしたペットフードの第２の製造方法を示す。
【図４】本発明の肉又は魚の割合が比較的多いすり身をベースにしたペットフードの第３の製造方法を示す。
【図５】本発明の肉又は魚の割合が少ないすり身をベースにしたペットフードの製造方法を示す。
【図６】本発明の焼き菓子の製造方法を示す。
【図７】本発明のせんべいの製造方法を示す。
【符号の説明】
【０１８７】
１  原料・調合ステップ、
２  煮込みステップ、
３  加圧・圧縮ステップ、
４  成型ステップ、
５  冷却ステップ、
６  乾燥ステップ、
７  冷凍ステップ、
８  裁断ステップ、
９  裁断ステップ、
１０  計量・梱包ステップ、
１１  乾燥ステップ、
１３  蒸すステップ、
【図１】
2006051022.tif 000020
【図２】
2006051022.tif 000021
【図３】
2006051022.tif 000022
【図４】
2006051022.tif 000023
【図５】
2006051022.tif 000024
【図６】
2006051022.tif 000025
【図７】
2006051022.tif 000026